(57)【要約】    位置情報を用いての移動電話加入者登録の方向転換が記載されている。一実施例において、本発明はあるデータ通信ネットワーク・コントローラで移動局とのデータ通信接続を設定し、その移動局から位置情報を受信して、その受信された位置情報に基づいてその移動局を異なるネットワーク・コントローラに方向転換させることを含む。【選択図】  図１Ａ
2007535846.tif 000002
【特許請求の範囲】
【請求項１】
データ通信ネットワーク・コントローラで移動局とのデータ通信接続を設定し、
その移動局から位置情報を受信し、
その受信された位置情報に基づき前記移動局を異なるネットワーク・コントローラに方向転換することを含む方法。
【請求項２】
前記の接続の設定が、送信制御プロトコル（ＴＣＰ）接続を設定することを含む請求項１に記載の方法。
【請求項３】
前記の接続の設定が、登録を設定することを含む請求項１に記載の方法。
【請求項４】
前記の接続の設定が、登録要求を受信することを含み、その登録要求が前記位置情報を含む請求項１に記載の方法。
【請求項５】
前記設定された接続にわたってデータを通信することを更に含み、前記位置情報を受信することが、前記のデータ通信の後に前記移動局から位置情報を受信することを含む請求項１に記載の方法。
【請求項６】
前記受信された位置情報を有効ネットワーク・コントローラに対する位置情報と比較し、
その比較に基づきネットワーク・コントローラを選択することを更に含み、
前記方向転換が前記選択されたネットワーク・コントローラに対するアドレスを前記移動局に送信することを含む請求項１に記載の方法。
【請求項７】
前記アドレスの送信が、登録要求に応じてアドレスを送信することを含む請求項６に記載の方法。
【請求項８】
前記の位置情報の受信が、セルラー通信システムの１セルの識別を受信することを含む請求項１に記載の方法。
【請求項９】
方向転換が、前記移動局を、前記セルラー通信システムの前記識別されたセルと関連されたネットワーク・コントローラへ方向転換することを含む請求項８に記載の方法。
【請求項１０】
前記データ通信接続が前記移動局との無線接続を有する無線アクセスポイントを通じてであり、前記の位置情報の受信が前記無線アクセスポイントのＩＤを受信することを含み、前記の方向転換が前記移動局を前記無線アクセスポイントと関連されたネットワーク・コントローラへ方向転換することを含む請求項１に記載の方法。
【請求項１１】
前記のネットワーク・コントローラの選択が、前記識別されて接続された無線アクセスポイントに対する位置を決定することを含み、前記接続された無線アクセスポイントの前記決定された位置付近の位置に貢献するセルラー通信セルを識別し、前記の選択が、前記識別されたセルラー通信セルと相関されたネットワーク・コントローラを選択することを含む請求項６に記載の方法。
【請求項１２】
前記受信された位置情報を評価して、該受信された位置情報が位置サービスを支援するに充分であるか否かを決定して、もしそうであれば、前記移動局に位置サービスが有効である旨を指示する請求項１に記載の方法。
【請求項１３】
ネットワーク・コントローラであって、
設定されたデータ通信接続にわたって移動局と通信して、その移動局から位置情報を受信するインターフェースと、
前記移動局に対するネットワーク・コントローラを選択すべく前記位置情報を適用して、前記移動局を前記選択されたネットワーク・コントローラへ方向転換すべく方向転換メッセージを策定するプロセッサと、を備えるネットワーク・コントローラ。
【請求項１４】
前記接続が登録を含む請求項１３に記載のネットワーク・コントローラ。
【請求項１５】
前記インターフェースが登録要求を受信して前記接続を設定し、前記登録要求が前記位置情報を含む請求項１３に記載のネットワーク・コントローラ。
【請求項１６】
有効なネットワーク・コントローラに対する位置情報の表を記憶するメモリであり、前記プロセッサが前記受信された位置情報を前記表内の位置情報と比較してネットワーク・コントローラを選択することからなるメモリを更に備える請求項１３に記載のネットワーク・コントローラ。
【請求項１７】
前記データ通信接続が前記移動局との無線接続を有する無線アクセスポイントを通じてであり、前記位置情報が前記無線アクセスポイントのＩＤを含み、前記表がネットワーク・コントローラを無線アクセスポイントと関連させる請求項１６に記載のネットワーク・コントローラ。
【請求項１８】
移動局でデータ通信ネットワーク・コントローラとのデータ通信接続を設定し、前記ネットワーク・コントローラに位置情報を送信し、
前記位置情報を送信することに応じて、前記ネットワーク・コントローラから異なるネットワーク・コントローラまでの方向転換メッセージを受信することを含む方法。
【請求項１９】
前記の接続の設定が、登録を設定することを含む請求項１８に記載の方法。
【請求項２０】
前記の位置情報の送信が登録設定後に実行される請求項１９に記載の方法。
【請求項２１】
前記の位置情報の送信が登録要求の送信を含み前記登録要求が前記位置情報を含む、請求項１８に記載の方法。
【請求項２２】
前記接続が無線アクセスポイントを通じてであり、セルラー通信システムからの送信の受信に基づき前記位置情報を獲得することを更に含む請求項１８に記載の方法。
【請求項２３】
前記の位置情報の送信がセルラー通信システムの１セルのＩＤを送信することを含む請求項２２に記載の方法。
【請求項２４】
前記の方向転換メッセージの受信が、前記セルラー通信システムの前記識別されたセルと関連されたネットワーク・コントローラへの方向転換を受信することを含む請求項２３に記載の方法。
【請求項２５】
前記データ通信接続が前記移動局との無線接続を有する無線アクセスポイントを通じてであり、前記の位置情報の送信が、前記無線アクセスポイントのＩＤを送信することを含み、前記の方向転換メッセージの受信が、前記無線アクセスポイントと関連されたネットワーク・コントローラへの方向転換を受信することを含む請求項１８に記載の方法。
【請求項２６】
登録要求を前記異なるネットワーク・コントローラに送信することを更に含む請求項１８に記載の方法。
【請求項２７】
データ通信ネットワーク・コントローラとの設定されたデータ通信接続を用いて該データ通信ネットワーク・コントローラに位置情報を送信する送信器と、
前記位置情報の送信に応じて前記ネットワーク・コントローラから異なるネットワーク・コントローラまでの方向転換メッセージを受信する受信器と、を備える移動局。
【請求項２８】
前記の設定されたデータ通信接続が登録を含む請求項２７に記載の移動局。
【請求項２９】
前記接続が無線アクセスポイントを通じてであり、前記受信器が更にセルラー通信システムからの送信の受信に基づき前記位置情報を獲得する請求項２７に記載の移動局。
【発明の詳細な説明】
【技術分野】
【０００１】
（関連出願に対する相互参照）
この出願は、２００４年４月２２日出願で、「ＵＭＡネットワーク・コントローラ（ＵＮＣ）選択とＵＭＡ測位サービス・サポート機構」と題された米国特許出願である特許文献１の優先権を主張するものである。この出願は、「無認可ワイヤレス通信システムを用いる認可されたワイヤレス通信システムのサービスエリア又は適用範囲を拡張するための装置及び方法」と題されて、２００３年１０月１７日に出願された米国特許出願である特許文献２の一部継続出願である、「無認可ワイヤレス通信システムを用いる認可されたワイヤレス通信システムの適用範囲を拡張するための装置及び方法」と題されて、２００４年１２月１５日に出願された米国特許出願である特許文献３の優先権を主張する一部継続出願である。
【０００２】
またこの出願は、「参加者装置との無認可及び認可ワイヤレス通信を促進する無認可ワイヤレス通信基地局（ベースステーション）と動作の方法」と題されて、２００２年４月２日に出願された、本願と同一の譲受人に譲渡された米国出願である特許文献４と、「認可ワイヤレスシステム及び無認可ワイヤレスシステムの間の遠距離通信セッションの移譲を支援する装置」と題されて、２００２年９月２０日に出願された米国出願である特許文献５とに関連されている。
【０００３】
（技術分野）
この発明の分野は、全般的には、遠距離通信に関する。より詳細には、この発明はネットワーク・コントローラによって無認可ワイヤレスシステムを介してコア・ネットワークにアクセスする移動局を登録することに関する。
【背景技術】
【０００４】
認可無線システムは無線トランシーバを用いて移動無線通信を個人に提供する。認可無線システムは、一般移動電話（携帯電話）及び／或はパーソナル通信サービス方式（ＰＣＳ）電話システムを言及するものである。無線トランシーバは、セル電話、ＰＣＳ電話、無線機器携帯情報端末、無線モデム、並びに、その類を含む。
【０００５】
認可無線システムは、政府から認可された無線信号周波数を利用する。多額の料金をそれら周波数にアクセスするために支払う。高価な基地局（ＢＳ）施設が用いられて、認可周波数での通信を支援する。基地局は、典型的には、相互に約１マイル隔たって据えられる（例えば、セルラー・ネットワークにおける移動電話タワー）。無線移送機構や、典型的な認可無線システムによって利用される周波数は、データ転送速度及び範囲の双方を制限する。結果として、認可無線システムにおけるサービスの品質（音声品質及びデータ転送の速度）は、有線（配線された）接続によって利用可能されるサービス品質よりも相当に劣る。こうして、認可無線システムのユーザは、比較的低い品質のサービスに対して、比較的高い料金を支払う。
【０００６】
有線（配線された）接続は広範囲にわたって配備されて、より高い品質の音声で且つより高い速度のデータ・サービスを伴って低コストで機能する。有線接続に関わる問題は、ユーザの移動性を制約することである。従来、有線での物理的接続が必要とされていた。
【０００７】
過去数年において、有線に基づくネットワークへのモバイル・アクセスを促進すべく無認可無線通信システムの使用は急激な成長を見てきた。例えば、そうした無認可無線システムはＩＥＥＥ８０２．１１ａ、ｂ、若しくは、ｇの規格（ＷｉＦｉ）、ブルートゥース（商標）規格に基づく無線通信を支援し得る。そうしたシステムと関連された移動性範囲は、典型的には、約１００メートル或はそれ以下である。典型的な無認可無線通信システムは、有線に基づくネットワークへの物理的接続（例えば、同軸ケーブル、ツイストペア、或は、光ケーブル）を伴う無線アクセスポイント（ＡＰ）を有する基地局を含む。このＡＰはＲＦトランシーバを有して、ＡＰの控えめな距離以内で動作する無線送受話器との通信を促進し、そこでは、ＷｉＦｉ及びブルートゥース（商標）規格によって支援されたデータ移送速度が、前述の認可無線システムによって支援されるものよりも相当に高い。こうして、このオプションはより低いコストでより高い品質のサービスを提供するが、そのサービスは基地局から控えめな距離にのみ及ぶものである。
【０００８】
現行において開発されているテクノロジーは、認可及び無認可の無線システムを継ぎ目無しで統合して、ユーザが、単一送受話器を介して、そうしたシステムの範囲以内になった際に無認可無線システムにアクセスすることを可能とする一方で、無認可システムの範囲外になった際に認可無線システムにアクセスするように為すことである。無認可ネットワークによって、送受話器は無線アクセスポイントに対して非常に遠いか或は非常に近いネットワーク・コントローラと接続でき、その無線アクセスポイントを通じてそれが接続している。認可無線システム（セルラー・ネットワーク）にアクセスすると、ユーザの携帯機器（例えば、移動電話）を検索する既知の技術が存在し、無認可無線システムに対する具現化モデルはユーザの位置又は場所が容易に確認されることを防止する。例えば、典型的な結滞電話ネットワークは単一エンティティ（或は、管理責務を共有する多数のエンティティ）によって管理されて、携帯機器の位置が内蔵ネットワーク下部構造を介して決定されることを可能としている。対照的に無線アクセスポイントは、典型的には、個々別々のユーザ或は会社によって展開されて、しばしばプライベート・アクセスだけを提供する。こうして、無認可システムへのアクセスと該無認可システムの使用とを制御できる単一の管理エンティティは何等存在しない。従って、無認可無線ネットワークにアクセスするユーザの位置を決定しそれら無認可無線ネットワークを適切なネットワーク・コントローラへ方向付ける既存の下部構造は何等存在しない。
【特許文献１】米国仮特許出願第６０／５６４，６９６号
【特許文献２】米国非仮特許出願第１１／６８８，４７０号
【特許文献３】米国非仮特許出願第１１／０１３，８８３号
【特許文献４】米国特許出願第１０／１１５，８３３号
【特許文献５】米国特許出願第１０／２５１，９０１号
【発明の開示】
【０００９】
位置情報を用いての移動電話加入者登録の方向転換が記載されている。一実施例において、本発明はデータ通信ネットワーク・コントローラで移動局とのデータ通信接続を設定し、その移動局から位置情報を受信し、その移動局をその受信された位置情報に基づき異なるネットワーク・コントローラへ方向転換する。
【００１０】
（図面の簡単な説明）
先行する局面やこの発明の付随長所の多くは、同一のものが添付図面と連携して取り込むことで以下の詳細な説明を参照することでより良好に理解されるように、より容易に理解されることになり、同様参照番号は特別の定めがない限り種々図面を通じて同様部分を言及するものである。
【００１１】
図１Ａは、本発明の一実施例の屋内アクセス・ネットワーク（ＩＡＮ）移動サービス・ソリューションの全体を提供し、
【００１２】
図１Ｂは一実施例の移動セットのプロトコル層を図示し、
【００１３】
図１Ｃは一実施例のプロトコル変換の方法を図示している。
【００１４】
図２Ａは、ブルートゥース（商標）・シグナル伝達を介して無認可ラジオ・リンクを提供する移動局の一実施例に対するレベル１、レベル２、並びに、レベル３のＧＳＭ関係プロトコル・アーキテクチャの全体を図示し、
【００１５】
図２ＢはＩＥＥＥ８０２．１１シグナル伝達を介して無認可ラジオ・リンクを提供する移動局の一実施例に対するレベル１、レベル２、並びに、レベル３のＧＳＭ関係プロトコル・アーキテクチャの全体を図示している。
【００１６】
図３Ａは、一実施例のＵＭＡ特定シグナル伝達と共に、ＣＳドメイン・シグナル伝達を支持してのアップインターフェース・プロトコル・アーキテクチャを図示し、
【００１７】
図３Ｂは移動局によって利用されるブルートゥース（商標）下方層と物理的層通信を促進するアクセスポイントとを示し、
【００１８】
図３Ｃは移動局によって利用されるブルートゥース（商標）下方層と物理的層通信を促進するアクセスポイントとを示し、
【００１９】
図３Ｄは一実施例のＧＳＭ音声送信を支持してのアップＣＳドメイン音声伝達プロトコル・アーキテクチャを図示し、
【００２０】
図３Ｅは一実施例のアップＧＰＲＳユーザ・プレイン・プロトコル・アーキテクチャを図示し、
【００２１】
図３Ｆは一実施例のＧＰＲＳシグナル伝達を支持してのアップ・プロトコル・アーキテクチャを図示している。
【００２２】
図４は、一実施例の、幾つかの可能なＧＳＭ及びＵＭＡシナリオを図示している。
【００２３】
図５は、一実施例における例示的な移動性管理機能を図示している。
【００２４】
図６は、一実施例の、登録中に、異なるネットワーク・コントローラに移動局を方向転換するように利用されるメッセージ及び動作を図示しているメッセージ及びデータのフロー線図である。
【００２５】
図７は、一実施例の、登録後に、異なるネットワーク・コントローラに移動局を方向転換するように利用されるメッセージ及び動作を図示しているメッセージ及びデータのフロー線図である。
【００２６】
図８は、一実施例の、登録中に、位置情報を提供するように利用されるメッセージ及び動作を図示しているメッセージ及びデータのフロー線図である。
【００２７】
図９は、登録後に、位置情報を更新するように利用されるメッセージ及び動作を図示しているメッセージ及びデータのフロー線図である。
【００２８】
図１０は、一実施例のユーザ・ターミナルのブロック線図である。
【００２９】
図１１は、実施例の通信ネットワーク・コントローラのブロック線図である。
【発明を実施するための最良の形態】
【００３０】
以下の記載において、数々の明確な詳細は説明されて、本発明の実施例の徹底した理解を提供する。しかしながら関連技術の当業者は、この発明が１つ或はそれ以上の明確な詳細無しで、或は、他の方法、構成要素、材料等々で実行されることを認識することになる。他の例において、周知の構造、材料、或は、動作は詳細に図示されていないか或は記載されておらず、発明を局面を曖昧にすることを回避している。
【００３１】
この明細書全体にわたって「一実施例」或は「実施例」を参照することは、その実施例に関して記載された特別の特徴、構造、或は、特性が本発明の少なくとも１つの実施例に含まれることを意味する。こうして、この明細書全体にわたる様々な場所における「一実施例における」或は「実施例における」の句の出現は必ずしも同一実施例を言及するものではない。更には、特定の特徴、構造、或は、特性は任意の適切な方式で１つ或はそれ以上の実施例内に結合され得る。
【００３２】
この記載において、無認可無線システムは短距離無線システムであり得て、それは「屋内」として記載され得る。しかしながら、無認可無線システムが、建物の一部だけではなく、無認可無線システムによってサービスされた会社構内の複数の屋外部等の局所的な屋外領域をもカバーする無認可無線システムを含むことをこの出願を通じて理解される。移動局は、例えば、無線電話、スマート電話、携帯情報端末、或は、モバイル・コンピュータであり得る。この「移動局」も、例えば、無線システムに向かう統合ディジタル通信網（ＩＳＤＮ）或はプレイン・オールド・テレホン・サービス（ＰＯＴＳ）端子に対する１つの集合の端子アダプタ機能を提供する固定無線装置であり得る。このタイプの装置の本発明の適用は、無線サービス会社が、所謂、優先代替サービスをユーザに提供すること、認可無線システムによって充分にカバーされた場所のユーザにでさえ提供することを可能とする。この記載は、ＵＭＡ（無認可モバイル・アクセス）協会によって推奨されるようなＵＭＡ規格化アーキテクチャという背景においてのものである。しかしながら本発明はそこに限定されることはない。
【００３３】
以下の記載の全体にわたって、無線サービス用の遠距離通信産業で共通して使用される頭文字は本発明特有の頭文字と一緒に利用される。この出願に特有な頭文字の表は付録Ｉに含まれている。
【００３４】
図１Ａは、本発明の一実施例の無認可モバイル・アクセス（ＵＭＡ）・アーキテクチャ１００を図示する。ＵＭＡアーキテクチャ１００は、認可無線通信セッション１０６或は無認可無線通信セッション１０８の内の何れかを介して、移動局１０２のユーザが音声及び遠距離通信ネットワーク１０４にアクセスすることを可能としている。前記遠隔通信ネットワーク１０４は、音声ネットワーク１１２へのアクセスを提供するモバイル・スイッチング・センタ（ＭＳＣ）１１０と、データ・ネットワーク１１６へのアクセスを提供するサービスＧＰＲＳ（汎用パケット無線通信システム）支援ノード（ＳＧＳＮ）１１４とを含む。またＭＳＣ１１０は内部訪問者位置レジスタ（ＶＬＲ）機能を提供する。
【００３５】
更なる詳細において認可無線通信セッションは、遠隔通信ネットワーク１０４を含む認可無線ネットワーク１１８によって提供される下部構造で促進される。図示された実施例において、前記認可無線ネットワーク１１８はセルラー・ネットワークに基づきＧＳＭ-（グローバル・システム・モバイル・コミュニケーションズ）に共通する構成要素を示しており、そのセルラー・ネットワークは、各認可ラジオ・リンク（無線リンク）１２２（例えば、ラジオ・リンクは認可大域幅以内の無線周波数を利用している）を介して、様々な移動局１０２に対する無線通信サービスを促進するマルチプル・ベース・トランシーバ・ステーション（ＢＴＳ）１２０（その内の１つが簡略の目的で示されている）を含む。典型的には、前記マルチプルＢＴＳ１２０は広範囲な適用範囲をカバーするセルラー・コンフィギュレーション（各セル毎に１つずつ）内に構成されている。所与のエリア或は領域に対する様々なＢＴＳ１２０は基地局コントローラ（ＢＳＣ）１２４によって管理され、各ＢＴＳ１２０はプライベート・トランク１２６を介して、そのＢＳＣ１２４と通信状態で結合されている。一般に、地域的或は全国的な移動電話会社によって提供されるような大きな認可無線ネットワークはマルチプルＢＳＣ１２４を含むことになる。
【００３６】
各ＢＳＣ１２４は規格基地局コントローラ・インターフェース１２６を通じて遠隔通信ネットワーク１０４と通信する。例えばＢＳＣ１２４は、回路スイッチド音声サービスに対するＧＳＭ
Ａ-インターフェースを介してＭＳＣ１１０と通信すると共に、パケット・データ・サービスに対するＧＳＭ Ｇｂ-インターフェースを介してＳＧＳＮ１１４と通信する。従来の認可音声及びデータ・ネットワーク１０４は、一方の認識ＢＳＣ１２４から他方のＢＳＣ（不図示）までの継ぎ目無しハンドオフを許容すべくプロトコルを含む。
【００３７】
無認可通信セッション１０８は屋内基地局１３０を含む（無線）アクセスポイント（ＡＰ）１２８を介して促進される。典型的には、前記ＡＰ１２８は、ホーム１３２或はオフィスビル１３４等の固定構造体内に配置されているが、理解して頂けるように、屋内基地局１３０の適用範囲は建物或は構内の屋外部を含み得る。無認可通信セッション１０８を表す矢印によって示されるように、移動局１０２は第２データ経路を介して遠隔通信ネットワーク１１４と接続され得て、該第２データ経路は、無認可無線チャネル１３６、前記アクセスポイント１２８、アクセス・ネットワーク１３８、並びに、無認可モバイル・アクセス・ネットワーク・コントローラ（ＵＮＣ）１４０を含む。前記ＵＮＣ１４０は、基地局コントローラ・インターフェース１２６Ａと類似する基地局コントローラ・インターフェース１２６Ｂを用いて遠隔通信ネットワーク１０４と通信し、ＧＳＭ
Ａインターフェース及びＧｂインターフェースを含む。屋内基地局１２８及び屋外ネットワーク・コントローラ１３２は、メモリ内に記憶されたソフトウェア・エンティティを含み得て、プロトコル変換を実行するに適合した１つ或はそれ以上のマイクロプロセッサ（図１Ａでは不図示）を実行する。
【００３８】
屋内基地局１２８及びＵＭＡネットワーク・コントローラ１４０も、メモリ内に記憶されたソフトウェア・エンティティを含み得て、プロトコル変換を実行するに適合した１つ或はそれ以上のマイクロプロセッサ（図１Ａでは不図示）を実行する。
【００３９】
無認可無線チャネル１３６は、無認可の自由スペクトル（例えば、約２．４ＧＨｚ、５ＧＨｚ、１１−６６ＧＨｚのスペクトル）内の波長（或は波長範囲）を利用するラジオ・リンクによって促進される。無認可無線サービス・ホスティング無認可無線チャネル１３６は関連された通信プロトコルを有し得る。例として、無認可無線サービスはブルートゥース（商標）互換性無線サービス、或は、無線ローカル・エリア・ネットワーク（ＬＡＮ）（ＷｉＦｉ）サービス（例えば、ＩＥＥＥ８０２．１１ａ、ｂ、或は、ｇ無線規格）であり得る。これはユーザに、無認可無線サービスのサービス領域内（即ち、対応するＡＰのサービス範囲以内）の潜在的に改善された品質のサービスを提供する。こうして、加入者が無認可ＡＰの範囲以内である際、その加入者は拡張されたサービス範囲を享受し、その理由として、送受話器が認可無線システムによって確実にサービスされ得ない箇所での建物内の深い場所でサービスを受信できるからである。同時に加入者は、通信を落とすことなく、無認可ＡＰの範囲外部でローミングできる。変わりに、無認可ＡＰの範囲外側でのローミングは継ぎ目無しのハンドオフとなって、そこでは通信サービスが、引用することでここにその内容が合体された米国特許出願第１０／１１５，８３３号により詳細に記載されているように、認可無線システムによって自動的に提供される。
【００４０】
移動局１０２はマイクロプロセッサと、通信セッションを管理するための無線プロトコルを実行するコンピュータ・プログラム命令を記憶するメモリ（不図示）とを含み得る。図１Ｂに図示されているように、一実施例において前記移動局１０２は、層１プロトコル層１４２と、層２プロトコル層１４４と、無線資源（ＲＲ）副層１４６、移動性管理（ＭＭ）副層１４８、並びに、呼管理（ＣＭ）層１５０を含む層３信号送りプロトコル層とを含む。理解されるように、レベル１層、レベル２層、並びに、レベル３層はソフトウェア・モジュールとして具現化され得て、それはソフトウェア「エンティティ」として記載されもし得る。認可無線サービスに対する一般的な用語法に従えば、層１は物理層であり、即ち、無線通信セッションに対する物理的ベースバンドである。この物理層はラジオ・インターフェースの最下層であり、ビット・ストリームを物理的ラジオ・リンクにわたって転送する機能を提供する。層２はデータ・リンク層である。このデータ・リンク層は移動局と基地局コントローラとの間の信号送りを提供する。ＲＲ副層は、移動局が専用モードであるときであるＲＲ-セッションの管理に関係していると共に、ラジオ・チャネルのコンフィギュレーション、パワー・コントローラ、不連続性の送信及び受信、並びに、移譲に関係している。移動性管理層は、例えば、移動局場所、セキュリティ機能、並びに、認証を処理することができる。呼制御管理層は終端間呼設定に対する制御を提供する。認可無線システムに対するこれらの機能は無線通信の技術における当業者によってよく知られている。
【００４１】
移動局は無認可無線サービス物理的層１５２（即ち、ブルートゥース（商標）、ＷｉＦｉ、或は、他の無認可無線チャネル（例えばＷｉＭＡＸ））をも含む。またこの移動局は無認可無線サービス層２リンク層１５４と、無認可無線サービス・無線資源副層１５６とを含む。アクセス・モード・スイッチ１６０はモバイル管理１４８及び呼管理層１５０に対して含まれて、移動局１０２が無認可ＡＰ１２８の範囲以内にある際に前記無認可無線サービス・無線資源副層１５６及び無認可無線サービス・リンク層１５４とアクセスして、認可ＲＲ副層１４６及び無認可無線サービスＲＲ副層１５６の間のスイッチングを支援する。
【００４２】
無認可無線資源副層１５６及び無認可リンク層１５４は、認可及び無認可の無線システム間の継ぎ目無しハンドオフを促進すべく選択されたプロトコルに加えて利用される無認可無線サービスに特有なプロトコルを含む。結果として、前記無認可無線資源副層１５６及び前記無認可リンク層１５４は、ＭＳＣ、ＳＧＳＮ、或は、他の音声若しくはデータ・ネットワークによって認識された従来の基地局コントローラ・インターフェース・プロトコル１２６と互換性あるフォーマットに変換される必要がある。
【００４３】
図１Ｃを参照すれば、本発明の一実施例において、移動局１０２、ＡＰ１２８、並びに、ＵＮＣ１４０は、無認可サービスのレベル１、レベル２、並びに、レベル３の各層を従来の基地局副ネットワーク（ＢＳＳ）インターフェース１２６Ｂ（例えば、Ａ-インターフェース或はＧｂ-インターフェース）に変換するインターフェース変換機能を提供する。プロトコル変換の結果として、通信セッションは設定されて、音声ネットワーク／データ・ネットワーク１０４に対して透明であり、即ち、音声／データ・ネットワーク１０４は、従来のベース・トランシーバ・ステーションによって処理される従来の通信セッションによってのように、通信セッション用にその規格インターフェース及びプロトコルを用いる。例えば、幾つかの実施例において、前記移動局１０２及び前記ＵＮＣ１４０は、位置更新及びサービス要求を始動して促進すべく構成されている。その結果、音声／データ・ネットワーク１０４に透明であるサービスの継ぎ目無しハンドオフに対するプロトコルが促進される。これは、例えば、単一電話番号を認可無線サービス及び無認可無線サービスの双方に使用させることを許容する。加えて、本発明は、無認可無線サービスを通じて提供されるべき認可無線サービスを通じてだけ従来から提供された種々のサービスを許容する。こうしてユーザは、自身の移動局が従来の電話サービスにアクセスしている間に高い帯域幅無認可無線サービスによってサービスされるエリア以内に配置されている際、潜在的により高い品質のサービスの利益を得ている。
【００４４】
認可無線サービスは、音声／データ・ネットワーク１０４に対する規定されたＢＳＳインターフェース・プロトコル１２６を有する任意の認可無線サービスを含み得る。一実施例において、認可無線サービスはＧＳＭ／ＧＰＲＳラジオ・アクセス・ネットワークであるが、理解して頂けるように、本発明の実施例は他の認可無線サービスを含む。この実施例に対して、規格ＧＳＭ
ＢＳＳネットワーク要素によって使用される同一基地局コントローラ・インターフェース１２６を介して、ＵＮＣ１４０はＧＳＭコア・ネットワークと相互接続する。例えば、ＧＳＭアプリケーションにおいて、これらインターフェースは回路スイッチド音声サービス用のＧＳＭ
Ａ-インターフェースと、パケット・データ・サービス（ＧＰＲＳ）用のＧＳＭ Ｇｂインターフェースとである。本発明のＵＭＴＳ（ユニバーサル・モバイル・テレコミュニケーションズ・システム）アプリケーションにおいて、回路スイッチド音声サービス用のＵＭＴＳ
Ｉｕ-ｃｓインターフェースとパケット・データ・サービス用のＵＭＴＳ Ｉｕ-ｃｓインターフェースとを用いて、ＵＭＴＳネットワークと相互接続する。本発明のＣＤＭＡアプリケーションにおいて、回路スイッチド音声サービス用のＣＤＭＡ
Ａ１インターフェース及びＡ２インターフェースとパケット・データ・サービス用のＣＤＭＡ Ａ１０インターフェース及びＡ１１インターフェースとを用いて、前記ＵＮＣ１４０はＣＤＭＡネットワークと相互接続する。
【００４５】
ＧＳＭ／ＧＰＲＳ実施例において、ＵＮＣ１４０はＧＳＭ ＢＳＳネットワーク要素としてＧＳＭ／ＧＰＲＳコア・ネットワークには見え、そのように管理されて動作される。このアーキテクチャにおいて、トランザクション制御の原則要素（例えば呼処理）はより高いネットワーク要素、即ち、ＭＳＣ１１０訪問者位置レジスタ（ＶＬＲ）及びＳＧＳＮ１１４によって提供される。公認された移動局は、もしそれらがＡＰ１２８の適用範囲の外側であればＧＳＭラジオ・アクセス・ネットワークを直に介してか、或は、それらがＡＰの適用範囲以内であればＵＭＡネットワーク・システムを介してかの何れかで、ＧＳＭ／ＧＰＲＳコア・ネットワークにアクセスすることを可能とされている。
【００４６】
ＵＭＡアーキテクチャ１００によって主催される通信セッションが音声ネットワーク１１２或はデータ・ネットワーク１１６に透明であれば、無認可無線サービスは無線サービス・プロバイダによって典型的に提供される全てのユーザ・サービスを支援し得る。ＧＳＭの場合、典型的にはこれは以下の基本サービス：電話通信技術、緊急通話（例えば、北米のＥ９１１呼び出し）、ショート・メッセージ、移動電話終端ポイント・ツー・ポイント（ＭＴ／ＰＰ）、ショート・メッセージ、移動電話始端ポイント・ツー・ポイント（ＭＯ／ＰＰ）、ＧＰＲＳ伝達サービス、移譲（屋外対屋内、屋内対屋外、音声、データ、ＳＭＳ、ＳＳ）を含む。加えて、ＧＳＭは当業界で周知である様々な補助サービスを支援し得る。
【００４７】
図２Ａは、ブルートゥース（商標）・シグナル伝達を介して無認可ラジオ・リンクを提供する移動局１０２の一実施例に対する、レベル１、レベル２、並びに、レベル３のＧＳＭ関連プロトコル・アーキテクチャの全体像を提供している。図示された如く、２つの論理的無線資源（ＲＲ）管理エンティティ、即ち、ＧＳＭ
ＲＲエンティティ２０２及びＵＭＡ-ＲＲエンティティ２０４が存在する。プロトコル・アーキテクチャは、ＧＳＭベースバンド・レベル１層２０６、ＧＳＭレベル２リンク層（ＬＡＰＤｍ）２０８、ブルートゥース（商標）・ベースバンド・レベル１層２１０、層２接続アクセス手続き（Ｌ２ＣＡＰ）層２１２及びＢＮＥＰ層２１３を含んでいるブルートゥース（商標）・レベル２層２１１、アクセス・モード・スイッチ２１４、並びに、上方層プロトコル２１６を含む。移動局がＵＭＡモードで動作中、ＵＭＡ-ＲＲエンティティ２０４は、指定されたサービス・アクセス・ポイント（ＲＲ-ＳＡＰ）を介して、移動性管理（ＭＭ）副層へのサービスを提供する現行の「貢献」ＲＲエンティティである。ＧＳＭ
ＲＲエンティティはこのモードでＭＭ副層から引き離される。前記ＵＭＡ-ＲＲエンティティ２０４は機能から成る新集合を提供し、幾つかのタスクに対して責任がある。第１として、ＵＭＡ-ＲＲエンティティはＵＭＡ受信地域の発見とＵＭＡ登録とに対する責任がある。第２として、ＵＭＡ-ＲＲエンティティはＧＳＭ ＲＲ層のエミュレーションに対する責任があって、予測されたサービスをＭＭ層に提供する、即ち、ＲＲ接続の作成、維持、並びに、取り壊しである。ＲＲ-ＳＡＰに対して規定された全ての既存のＧＳＭ０４．０７のプリミティブが適合する。ＵＭＡ-ＲＲエンティティ２０４のプラグ-インはこのようにして、上方層プロトコルに対して透明と為される。第３として、ＵＭＡ-ＲＲエンティティ２０４モジュールはＧＳＭ
ＲＲエンティティとの組み合わせに責任があって、先に参照した米国非仮特許出願第１１／６８８，４７０号において更に詳細に記載されているように、アクセス・モード・スイッチング及び移譲を管理する。
【００４８】
図２Ｂは、ＩＥＥＥ８０２．１１シグナル伝達を介して無認可ラジオ・リンクを提供する移動局１０２の一実施例に対する、レベル１、レベル２、並びに、レベル３のＧＳＭ関連プロトコル・アーキテクチャの全体像を提供している。エンティティ及び層の全ては図２Ａに対して先に記載されたものと同一であって、ブルートゥース（商標）層が８０２．１１ＰＨＹ層２１８及び８０２．１１ＭＡＣ層２２０と代替されたことを除く。
【００４９】
図３Ａは、一実施例に従って、回路スイッチド（ＣＳ）ドメイン・シグナル伝達を支援してアップ・インターフェース・プロトコル・アーキテクチャを、ＵＭＡ固有のシグナル伝達と共に図示する。ＭＳＣ副層は、メッセージ転送部（ＭＴＰ）インターフェースＭＴＰ１
３０２、ＭＴＰ２ ３０４、ＭＴＰ３ ３０６、シグナル伝達接続制御部（ＳＣＣＰ）３０８、基地局システム・アプリケーション部（ＢＳＳＡＰ）３１０、移動性管理インターフェース３１２、並びに、接続管理インターフェース３１４に関して、当業界では従来からよく知られている。
【００５０】
ＵＭＡ-ＲＲプロトコルは、移動局１０２及びＵＮＣ１４０の各々によって提供されたＵＭＡ-ＲＲ層２０４を介して、ＵＭＡ「層３」シグナル伝達機能を支援する。ＢＳＣのように行動する前記ＵＮＣ１４０はＵＭＡ-ＲＲプロトコル・メッセージを終了し、メッセージ及び類似Ａ-インターフェース・メッセージの間の相互作用に対して責任がある。
【００５１】
移動局１０４及びＵＮＣ１４０の各々におけるＵＭＡ-ＲＲ層２０４下方の層は、ＴＣＰ層３１６、遠隔ＩＰ層３１８、並びに、ＩＰＳｅｃ（ＩＰ
ｓｅｃｕｒｉｔｙ：ＩＰセキュリティ）層３２０を含む。オプションとして、ＴＣＰ／ＩＰ（不図示）上を走る規格セキュア・ソケット層（ＳＳＬ）プロトコルがＩＰＳｅｃ層３２０の代わりに展開され得る。
【００５２】
移動局１０２及びＵＮＣ１４０の間のより低いレベルＩＰ接続性は介在アクセスポイント１２８及び広帯域ＩＰネットワーク１３８（即ち、図１Ａに示されたアクセス・ネットワーク１３８）によって主催される適切な各種の層によって支援される。ＩＰ移送層（即ち、７層ＯＳＩモデル下方の従来のネットワーク層３）を支援する構成要素は、移動局１０４、ＡＰ１２８、並びに、ＩＰネットワーク１３８の各々に対する移送ＩＰ層３２２とＵＮＣ１４０でのＩＰ層３２２Ａとを含む。
【００５３】
最下層（即ち、物理的及びデータ・リンク層）で、移動局１０４及びＡＰ１２８は無認可の下方層３２４を提供するものとして描かれているが、ＡＰ１２８、ＩＰネットワーク１３８、並びに、ＵＮＣ１４０の各々は適切なアクセス層３２６を提供する。典型的には、アクセス層３２６は、限定されるわけではないが、従来のイーサーネットＰＨＹ層及びＭＡＣ層（ＩＥＥＥ８０２．３）を含むことになる。
【００５４】
図３Ａ及び図３Ｂに示されるように、無認可層下方層３２４は、無認可ラジオ・リンクがブルートゥース（商標）・シグナル伝達か或はＩＥＥＥ８０２．１１シグナル伝達かの何れかを用いることに依存する。図３Ａに描かれたブルートゥース（商標）下方層は図２Ａの移動局アーキテクチャと対応し、ブルートゥース（商標）広帯域層２１０、Ｌ２ＣＡＰ層２１２、並びに、ＢＮＥＰ層２１３を含む。同時に、図３Ｂに示された８０１．１１下方層は図２Ｂの移動局アーキテクチャと対応し、８０２．１１ＰＨＹ層２１８及び８０２．１１ＭＡＣ層２２０を含む。
【００５５】
図３Ｄは、一実施例に従って、ＧＳＭ音声伝送を支援してアップＣＳドメイン伝達プロトコル・アーキテクチャを図示している。図３Ｄ及び図３Ｃのアーキテクチャと共通する同様に名付けられ且つ参照された構成要素に加えて、ＧＳＭ音声送信を支援するためのファシリティが設けられている。ＭＳＣ１１０に対して、これら構成要素はＧＳＭ音声送信に対する従来の構成要素を含み、ＵＮＣ１４０内に展開されている同様な構成要素を伴って物理的層３３０及びオーディオ３３２として描かれている。移動局１０２及びＵＮＣ１４０の各々は、ＧＥＲＡＮ（ＧＳＭエッジ・ラジオ・アクセス・ネットワーク）コーディック３３４及びＲＴＰ／ＵＤＰ層３３６を含む。
【００５６】
図３Ｄのアーキテクチャの下で、オーディオはＲＦＣ３２６７及びＲＦＣ３５５１で規定されたＲＴＰフレーミング・フォーマットに従ってアップ・インターフェース上を流れる。ＵＭＡモードで動作している際、ＴＳ２６．１０３に特定されたＡＭＲ
ＦＲに対する支援が支援される。Ｇ．７１１等の他のコーディックも支援され得る。
【００５７】
図３Ｅは、一実施例の、アップＧＲＰＳユーザ・プレイン・プロトコル・アーキテクチャを図示する。このアップＧＰＲＳユーザ・プレイン・プロトコル・アーキテクチャは、無認可スペクトルを利用してＵＮＣ１４０を通じてのＧＰＲＳシグナル伝達及びデータ・パケットのトンネリングを効果的に可能とし、よって移動局１０２及びＳＧＳＮ１１８の間のパケット-スイッチド・トラフィックに対するトンネリング機能を支援している。
【００５８】
図３Ｅに図示されているように、ＵＮＣ１４０及びＳＧＳＮ１１４の各々はＧＰＲＳシグナル伝達及びデータ・パケットを支援する従来のファシリティを利用しており、物理的層３５０、ネットワーク・サービス層３５２、並びに、ＢＳＳＧＰ層３５４を含んでいる。移動局１０２及びＵＮＣ１４０の各々は、ＵＤＰ層３５６及びＵＭＡ-ＲＬＣ層３５８を含む。移動局１０２及びＳＧＳＮの各々は、ＬＬＣ層３６０及びＳＮＤＣＰ層３６２を含む。移動局１０２もＩＰ層３６４を含む。
【００５９】
図３Ｅのアーキテクチャの下、ＧＰＲＳ ＬＬＣ ＰＤＵ伝達データ及び上方層プロトコルは移動局１０２及びＳＧＳＮ１１４の間を透過的に伝達される。これは移動局が、それがあたかもＧＥＲＡＮ
ＢＳＳ内にあるように同一方式で全ＧＰＲＳサービスを引き出すことを可能としている。前記移動局１０２内における全ての既存のＧＰＲＳアプリケーション及びＭＭＩは不変である。ＬＬＣ
ＰＤＵは前記移動局１０２からＵＮＣ１４０までＵＭＡ-ＲＬＣ層３５８を上を伝達され、それはＢＳＳＧＰメッセージングを用いてＳＧＳＮ１１４へＰＤＵを中継で送る。前記ＵＭＡ-ＲＬＣ層３５８はＵＤＰ層３５６上を直に走ってＩＰ伝達サービスを活用する。
【００６０】
図３Ｆは、一実施例の、ＧＰＲＳシグナル伝達を支援するアップ・プロトコル・アーキテクチャを図示している。このアーキテクチャの下、上方プロトコル（上方層３６６を含む）に信号伝達するためのＧＰＲＳ
ＬＬＣ ＰＤＵはＭＳ１０２及びＳＧＳＮ１１４の間に透過的に伝達される。これはＭＳが、それがあたかもＧＥＲＡＮ ＢＳＳと接続されているように同一方式で全ＧＰＲＳサービスを獲得することを可能としている。ＧＲＰＳ-ＲＬＣプロトコルは（上方層透視図から見て）同等のＵＭＡ-ＲＬＣプロトコルと代替される。信頼性はＴＣＰ層３５７によって確保される。ＧＥＲＡＮ
ＢＢＳにおけるように、ＢＳＣのように行動するＵＮＣは前記ＵＭＡ-ＲＬＣプロトコルを終了し、ＢＳＳＧＰを用いてＧｂ-インターフェースへ向けてそれと相互作用する。
【００６１】
先に記したように、移動局は、例えば、無線電話、スマート電話、携帯情報端末、或は、モバイル・コンピュータであり得る。この移動局も、例えば、無線システムに向かう統合ディジタル通信網（ＩＳＤＮ）或はプレイン・オールド・テレホン・サービス（ＰＯＴＳ）端子に対する１つの集合の端子アダプタ機能を提供する固定無線装置であり得る。
【００６２】
先に挙げられたもの以外の他の端子アダプタ・タイプは本発明の実施例で利用される。例えば、（１）ＰＯＴＳ電話よりもむしろコードレス電話を支援する端子アダプタ、（２）規格セッション開始プロトコル（ＳＩＰ）電話を支援する端子アダプタ、並びに、（３）卓上電話で見出されるようなコードレス送受話器及びユーザ・インターフェースを統合する端子アダプタである。各場合において、ここに記載された発明は、これら端子アダプタ機能が無認可ネットワークを介して、無線システムとどのようにして接続され得るかを記載している。
【００６３】
他の規格ブルートゥース（商標）能力の使用は本発明の実施例と一緒に可能である。例えば、別のブルートゥース（商標）装置（例えば、ユーザの通常の移動電話）におけるＳＩＭにアクセスする「ＳＩＭアクセス・プロファイル」と呼称されるブルートゥース（商標）規格能力が存在し、第１装置がＳＩＭ（即ち、ユーザの通常の移動電話）と関連された「個性」を引き受けることを可能としている。先に記載された実施例はこの規格能力を活用して、端子アダプタが結着された装置（例えば、ＰＯＴＳ電話）にユーザの移動電話の個性を付与する。
【００６４】
移動性管理
ＵＮＣ１４０はＧＳＭ ＢＳＣの機能と同等の機能を提供し、そしてそのようなものとして、（ネットワーク上の）ＵＭＡ移動電話を制御する。一実施例において、ＵＮＣごとに単一ＵＭＡがあり得て、代替実施例において、ＵＮＣと接続されたアクセスポイントごとに１つのＵＭＡ移動電話があり得る。後者の実施例は使用されるべく予想される多数のＡＰによってそれほど望ましくなく、そこでＵＭＡアーキテクチャはそれらＡＰをＵＭＡ移動電話にフレキシブルなグループ分けを許容する。各ＵＭＡ移動電話は移動電話グローバル識別子（ＣＧＩ）で識別され得て、未使用の絶対無線周波数チャネル番号（ＡＲＦＣＮ）が各ＵＭＡ移動電話に割り当てられる。各ＵＭＡ移動電話は、ＭＳＣによって貢献される特定のＧＳＭ位置エリアとそれとを関連させることによって物理的境界にマッピングさせられ得る。ＵＭＡ移動電話にマッピングされた位置エリア内のＧＳＭ移動電話は、ＵＭＡ移動電話用のＡＲＦＣＮ対ＣＧＩマッピングで構成される。更にこのＡＲＦＣＮは移譲を許容すべくＧＳＭ移動電話によってＢＡリスト内に公表され得る。ＵＭＡ移動電話が既存ＧＳＭ移動電話と同一の位置エリア識別子（ＬＡＩ）を使用され得るか、或は、新ＬＡＩがＵＭＡ移動電話用に使用され得るかに留意すべきである。後者は、ＩＮＣを介して登録されるべく移動局が知られている際に、ＧＳＭ移動電話内における呼び出しを低減すること点で有用である。先の議論はＧＰＲＳルーチング（経路指定）・エリアに同等に適用されて、エリア識別子（ＲＡＩ）を経路指定する。
【００６５】
ＵＭＡ ＣＰＥアドレシング
加入者宅内機器（ＣＰＥ）は移動局及びアクセスポイント（ＡＰ）を含み得て、それらを通じて移動局はＵＭＡサービス用にＵＮＣにアクセスし得る。ＵＭＡ
ＣＰＥアドレシング・パラメータは下記に記載されたパラメータを含み得る。
【００６６】
ＵＭＡ ＣＰＥアドレシングは、パラメータとして、移動電話機器におけるＳＩＭと関連された国際的な移動電話加入者識別子（ＩＭＳＩ）を含む。ＩＭＳＩは、アップ・インターフェースを介して、ＵＮＣへＵＭＡサービスを要求した際に、ＵＭＡ移動局によってＵＮＣに提供される。ＧＳＭ
ＢＳＣとは異なって、ＵＮＣはＵＭＡモードで動作している各移動局に対する事情を管理する。それ故に、ＵＮＣは貢献された各移動局に対する記録を維持する。例えば、ＩＭＳＩはＵＮＣによって使用され得て、ＵＮＣがＢＳＳＭＡＰ呼び出しメッセージを受け取ると適切な移動局記録を見出す。
【００６７】
ＵＭＡ ＣＰＥアドレシングは、パラメータとして、モバイル機器（例えば、８０２．１１ＭＡＣアドレス）における無認可インターフェースと関連されたアドレスを含む。この識別子は、アップ・インターフェースを介して、ＵＭＡ移動局によってＵＮＣに提供され得る。ＵＮＣはこのアドレスＩＭＳＩに対する代替として用い得てＩＭＳＩのアップ・インターフェースを介しての転送を限定して、メッセージのルーチングの点で補助する。
【００６８】
ＵＭＡ ＣＰＥアドレシングは、パラメータとして、貢献するＧＰＲＳ支援ノード（ＳＧＳＮ）によって移動局に割り当てられた一時的な論理リンク識別子（ＴＬＬＩ）をも含む。この識別子は規格Ｇｂ-インターフェース手続きを介して提供され得る。ＵＮＣはこのアドレスを貢献された各移動局に対して追跡し得て、ＧＳＭ Ｇｂ-インターフェース手続きを支援する（例えば、それによって、ダウンリンクＧＰＲＳパケットが正しい移動局へ経路指定され得る）。
【００６９】
ＵＭＡ ＣＰＥアドレシングは、パラメータとして、アクセスポイントＩＤ（ＡＰ-ＩＤ）をも含む。このＡＰ-ＩＤは無認可モード・アクセスポイントのＭＡＣアドレスであり得て、それを通じて移動局がＵＭＡサービスにアクセスする。この識別子は、アップ・インターフェースを介してＵＭＡサービスを要求する際、ＵＭＡ移動局によってＵＮＣに提供され得る。ＡＰ-ＩＤはＵＮＣによって使用され得て、ＡＰに基づき、ユーザへの測位サービス（例えば、強化型９１１サービス）を支援し、そこからそのサービスがアクセスされる。ＡＰ-ＩＤはサービス・プロバイダによっても使用され得て、公認されたＡＰだけへのＵＭＡサービス・アクセスを制限する。
【００７０】
他のＣＰＥアドレシング・パラメータはアップ・インターフェースのセキュリティ要件に依存して使用され得る（例えば、通り抜けＩＰＳｅｃ接続を介してメッセージ経路指定に対するＵＭＡ移動局ＩＰアドレスを管理する必要性、或は、ＵＮＣによって移動局に割り当てられた局所的な信用証明書を管理する必要性）。
【００７１】
ＵＭＡセルＩＤ
ＧＳＭ／ＧＰＲＳにおける移動性管理機能を促進するために、適用範囲は（ＧＳＭのための）位置エリアと（ＧＰＲＳのための）経路指定エリアと呼称される論理登録エリアに分割され得る。移動局は、貢献位置エリア（或は経路指定エリア）が変わる度に、ネットワークによって登録すべく要求され得る。１つ或はそれ以上の位置エリア識別子（ＬＡＩ）は、通信事業者のネットワークにおける各訪問済み位置レジスタ（ＶＬＲ）と関連され得る。同様に、１つ或はそれ以上の経路指定エリア識別子（ＲＡＩ）は単一ＳＧＳＮによって制御され得る。
【００７２】
一実施例において、ＧＳＭセルはセル身元（ＣＩ）を位置或は経路エリアＩＤに付加することで位置或は経路指定エリア内で識別される。セル・グローバルＩＤ（ＣＧＩ）は位置エリアＩＤ及びセル身元から成る連鎖である。一実施例において、セル身元は位置エリア内でただ１つしかない。
【００７３】
セルＩＤへの実例ＵＭＡアプローチ
ＵＭＡセルＩＤアプローチの１つの例は以下に記載される。この実施例において単一ＵＮＣは、１つ或はそれ以上のＵＭＡ位置エリア、或は、１つ或はそれ以上のＵＭＡ経路指定エリア、に対するサービスを提供し、各ＵＭＡ位置エリア（或は経路指定エリア）は部分的に重複するＧＳＭセルの位置エリア（或は経路指定エリア）とは異なるか或は同一である。ＵＭＡセルはセル身元（ＣＩ）を位置或は経路エリアＩＤに付加することでＵＭＡ位置或は経路指定エリア内で識別される。セル・グローバルＩＤ（ＣＧＩ）は位置エリアＩＤとセル身元との連鎖である。一実施例において、セル身元は位置エリア内でただ１つしかない。ＵＭＡセル・グローバルＩＤ（ＵＭＡ-ＣＧＩ）は位置エリアＩＤ及びセル身元から成る連鎖である。一実施例において、ＵＭＡセルはＵＭＡ-ＣＧＩ値によって識別されたＵＭＡ適用範囲全体の予め規定された仕切りであり得る。留意すべきことは、ＵＭＡ情報のようなセル身元はＡＰに対して透明であり得て、ＡＰはその関連されたＵＭＡ-ＣＧＩ値を知らないことである。ＵＭＡ構成要素（例えば、移動局及びＵＮＣ）はＵＭＡ適用範囲全体を仕切る能力を支援し得る。
【００７４】
仕切り方法は、ＧＳＭセル身元及びＵＭＡセル身元の間の１対１の対応或は１対多数の対応を具現化することを含む。特定エリア内の好適ＧＳＭセルのＩＤが与えられれば、対応するＵＭＡセル身元を、例えば、ＵＮＣプロビジョニングに基づき決定することが可能であり得る。１対１関係の一例は、ＧＳＭセルをＵＭＡセルにマッピングすることである。多数対１関係の一例は、ＧＳＭ位置エリア（及び関連ＧＳＭセル）をＵＭＡセルにマッピングすることである。
【００７５】
ＵＭＡ移動局がＵＭＡサービスのためにＵＮＣと接続すると、ＣＧＩ値と、隣接セルの他に（任意選択的に）現行ＧＳＭキャンピング・セルの経路損失規準パラメータ（Ｃ１）とを、ＵＮＣに送信する。このＵＮＣはＧＳＭキャンピング・セルのＣＧＩ値を対応するＵＭＡセルのＣＧＩ値に、ＵＮＣにおいて規定されたマッピング論理に基づき、マッピングする。これは１対１マッピング（例えば、もしＧＳＭセル毎に１つのＵＭＡセルがあれば）、或は、多数対１マッピング（例えば、もしＧＳＭセル毎に１つのＵＭＡセルがあれば）であり得る。もしＧＳＭ適用範囲がＵＭＡサービスエリアにおいて全く有効でなければ、ＵＮＣは移動局をデフォルトの「非ＧＳＭ適応範囲」ＵＭＡセルに割り当てることができる。単一ＵＮＣは１つのＭＳＣに貢献し得る。これは、単一装置（例えば、多数ＭＳＣに貢献するＵＮＣ）内において、先に規定されたように、多数のＵＮＣ「例証」を組み合わせるＵＮＣ実施例を排除しない。各ＵＮＣも、ＧＳＭ対ＵＭＡ移譲目的のために使用される唯一の「ＵＭＡ-移譲-ＣＧＩ」値が割り当てられ得る。例えば、これはＧＳＭ ＲＡＮ ＢＳＣのＡＲＦＣＮ対ＣＧＩ表とＭＳＣ（例えば、ＵＮＣへ向かう点への）において規定された値であり得る。
【００７６】
ＵＭＡ動作コンフィギュレーション
一実施例において、少なくとも３つのＵＭＡ動作コンフィギュレーションが識別され得る。共通コア・コンフィギュレーションにおいて、ＵＭＡ
ＬＡＩ及び包括的ＧＳＭ ＲＡＮ ＬＡＩ（例えば、加入者の隣人に貢献する）は異なり、ネットワークは同一コア・ネットワーク・エンティティ（例えば、ＭＳＣ及びＳＧＳＮ）がＵＭＡセル及び包括的ＧＳＭセルの双方に貢献するように設計され得る。このコンフィギュレーションの１つの長所は、ＵＭＡ適用範囲エリア及びＧＳＭ適用範囲エリアの間での加入者移動はシステム相互（例えばＭＡＰ）のシグナル伝達（例えば、位置更新と移譲がＭＳＣ内）とはならない。
【００７７】
別のコア・コンフィギュレーションにおいて、ＵＭＡ ＬＡＩ及び包括的ＧＳＭ ＲＡＮ ＬＡＩは異なり、ネットワークは異なるコア・ネットワーク・エンティティがＵＭＡセル及び包括的ＧＳＭセルに貢献するように設計され得る。このコンフィギュレーションの１つの長所は、ＵＭＡ及びＧＳＭネットワークの工業技術が共通コア・コンフィギュレーションにおけるものよりもより独立し得ることである。
【００７８】
共通ＬＡＩコンフィギュレーションにおいて、ＵＭＡ ＬＡＩ及びＧＳＭ ＲＡＮ ＬＡＩは同一である（例えば、同一ＬＡＩ内における異なるセル）。このコンフィギュレーションの長所は、ＵＭＡ適用範囲エリア及びＧＳＭ適用範囲エリアの間での（アイドル中）加入者移動は位置更新シグナル伝達とはならないことと、移動局が、もしＵＭＡモード・リソースが一時的に無効であれば、ＧＳＭモードに容易に切り替え可能である（例えば、呼出に応答すべく）。この別のコア・コンフィギュレーションや先行するコア・コンフィギュレーションの更なる詳細は、上記の米国非仮特許出願第１１／６８８，４７０号で議論されている。
【００７９】
ＵＭＡ登録及び登録抹消
一実施例において、先に記載されたように、ＵＭＡ登録プロセスはＰＬＭＮ下部組織へのシグナル伝達を利用せず、ＵＭＡシステム内（例えば、移動局及びＵＮＣの間）に包含される。前記ＵＭＡ登録プロセスは少なくとも２つの目的に貢献し得る。それはＵＮＣに、移動局が特定のＡＰを通じて接続されて、特定のＩＰアドレスで利用可能である旨を知らせることができる。ＵＮＣは、例えばモバイル終了呼出のためにこの情報の経過を追うことができる。またこの登録プロセスは移動局にＡＰ上のＵＭＡサービスと関連された動作パラメータを提供し得る。これはＧＳＭ放送制御チャネル（ＢＣＣＨ）の使用と類似し得て、システム・パラメータをＧＳＭセル内の移動局に送信する。ＵＭＡモードで適用可能であるＧＳＭシステム情報メッセージ内容は、ＵＭＡ登録プロセス中に移動局に配送され得る。
【００８０】
同様に、ＵＭＡ登録抹消プロセスは移動局がＵＮＣに、ＵＭＡモードのままとしている旨を明白に知らせることを可能として、ＵＮＣがその移動局に割り当てるリソースを解放させることを可能としている。ＵＮＣは明白なＵＭＡ登録抹消をも支援し得て、移動局への安全チャネルが急激に終了される。
【００８１】
ＵＭＡ方向転換
一実施例において、先に記載されたように、ＵＭＡ移動局がＵＭＡサービスのためにＵＮＣに接続すると、ＣＧＩ値と、隣接セルの他に現行ＧＳＭキャンピング・セルの経路損失規準パラメータ（Ｃ１）とを、ＵＮＣに送信し得る。内部データベース局と共にこの情報を用いて、ＵＮＣはそれは移動局に対して正しい貢献ＵＮＣであるのか、そして、それは正しい貢献ＵＮＣでないのかを決定することができて、移動局を正しいＵＮＣに方向転換する。正しい貢献ＵＮＣは、そのＵＭＡサービスエリアが移動局の包括的ＧＳＭ適用範囲と部分重複するＵＮＣであり得る。一実施例において、正しい貢献ＵＮＣはＧＳＭ
ＢＳＣと同一のＭＳＣに結着して、それに包括的ＧＳＭセルが属している。代替実施例において、正しい貢献ＵＮＣは包括的ＧＳＭ適用範囲を移動局に提供するＭＳＣへの移譲し得る異なるＭＳＣに結着して、そのＵＮＣが呼出をＧＳＭへ移譲し且つＧＳＭからの呼出を移譲することを可能としている。また、特定の位置に基づくサービス（例えば、Ｅ９１１位相１）がＧＳＭセルの位置に結びつくことを可能とし得る。ＵＮＣによって使用される内部データベースはＧＳＭ位置エリアを貢献ＵＮＣにマッピングし、管理されるべきデータ量を保全し得る。このデータベースは、新ＵＮＣ或は新ＧＳＭ位置エリアがいつ付加されるかを変更することだけが必要とされている。
【００８２】
もし移動局がＵＭＡサービスに対するＵＮＣと接続している際にＧＳＭ適用範囲が全く有効でなければ、ある種の状況下、ＵＮＣは移動局を正しい貢献ＵＮＣに割り当てる目的（例えば、移譲や位置に基づくサービスを可能とすべく）で該移動局の位置を信頼性をもって決定できない。このＵＮＣはオペレータがこの場合におけるサービス方針を決定させることを許容し得る（例えば、オペレータはユーザへのサービスに特定の制限、可能であれば、移動局に対するユーザ・インターフェース指示を具備させ得る）。ＵＭＡ登録及び方向転換手続きに対する付加的な詳細は以下に提供される。
【００８３】
ＵＭＡ移動局アイドル・モード振る舞い
先に記載されたように、ＵＭＡ装置は図４に図示されるように異なる無線環境と遭遇し得る。第１環境において、ＧＳＭ及びＵＭＡ適用範囲エリアは完全に別々であり且つ部分重複していない。第２環境において、ＧＳＭ及びＵＭＡ適用範囲は部分的に重複している。最も一般的である第３環境において、ＵＭＡ適用範囲はＧＳＭ適用範囲内に包含されている。ＵＭＡ装置はこれら環境の内の何れかで電源投入し得て、更に多数の結着された状態内を遷移し得る。
【００８４】
電源投入時に、そして移動局がアイドル状態であり且つあらゆるタイプの適用範囲が存在しない時に、移動局はＧＳＭ及びＵＭＡ無線適用範囲の双方に対してスキャンし得る。もしＧＳＭ適用範囲が検出されれば、通常のＧＳＭ移動性管理手続きは始動され得る。この条件は、ＵＭＡ適用範囲がＧＳＭ適用範囲が検出された際或はＵＭＡ登録プロセスの完了前、移動局によって検出された場合に適用し得る。もしＵＭＡ適用範囲が検出されれば、ＵＭＡ移動局はＡＰへの無認可無線リンク（例えばＷＬＡＮリンク）を設定して、信号品質をモニタする。移動局での受信信号レベルが予め規定された閾値を通過すると、移動局はＵＭＡ登録手続きを実行する。戻った情報に基づき、移動局は全ネットワーク登録が要求されているかを決定し得て、もしそうであれば、どのタイプかを決定し得る（例えば、ＧＳＭ或は組み合わせＧＳＭ／ＧＰＲＳ）。この手続きは、ＧＳＭ適用範囲が全く存在しない場合、或は、ＵＭＡ適用範囲がＧＳＭ適用範囲検出前に検出された場合に適用し得る。
【００８５】
移動局がＧＳＭ適用範囲内でアイドル状態であって、ＵＭＡ適用範囲が全く存在しない場合、移動局はＵＭＡ適用範囲に対して周期的にスキャンし得る。もしＵＭＡ適用範囲が検出されれば、移動局は先に記載されたようにＵＭＡ登録手続きを始動し得る。
【００８６】
移動局がＵＭＡ適用範囲内でアイドル状態であって、ＧＳＭ適用範囲が全く存在しない場合、移動局は通常のＧＳＭ ＰＬＭＮサーチ手続きを実行し続ける得る。もしＧＳＭ適用範囲が検出されれば、移動局はＧＳＭセル情報を、先に記載されたように、可能なＵＭＡ方向転換目的のためにＵＮＣに送信し得る。代替的には、移動局は電力を保全すべく通常のＧＳＭ
ＰＬＭＮサーチ手続きをディスエーブルし得る。
【００８７】
移動局がＵＭＡ適用範囲内でアイドル状態であって、ＧＳＭ適用範囲が存在する場合、移動局は通常のＧＳＭセル再選択手続きを実行し続けて、その選択ＧＳＭセルのＩＤを記憶して、ＧＳＭモードへの遷移を必要に応じて高速化する。代替的には、移動局は電力を保全すべく通常のＧＳＭセル再選択手続きをディスエーブルし得る。
【００８８】
ＵＭＡ適用範囲内での電源遮断時、引き離し指示は移動局によってＵＭＡＮを介してＰＬＭＮに送信され得る（例えば、ＰＬＭＮネットワークによって必要とされれば、或は、電源遮断時に移動局によって正常に送信される）。この指示は動作の現行ＧＳＭモード毎にコード化され得る（例えば、ＧＳＭ或はＧＰＲＳ）。
【００８９】
ＵＭＡ環境はＩＥＥＥ８０２．１１環境であり得る。この場合、移動局は有効な８０２．１１ＡＰに対するアクティブなスキャンを周期的に実行する。ＡＰが見出される場合、それはユーザ選り好みやセキュリティ証明書の記憶されたプロファイルに適合させ得て、その場合、移動局はＡＰと自動的に関連し得る。移動局は低電力節電モードに入り得て、ＵＭＡ登録を何時トリガーすべきかを決定するために信号品質を測定すべく周期的に目覚める。
【００９０】
ＵＭＡ環境はブルートゥース（商標）環境であり得る。この場合、移動局はブルートゥース（商標）ＡＰと先行して対を組み、該ブルートゥース（商標）ＡＰを通じて移動局はＵＭＡサービスとアクセスする。周期的に、移動局は呼出スキャン受信モードに入ってＡＰ通過呼出に応答してリンク・レベル接続を設定する。ひとたびリンク・レベル制御チャネルが設定されたならば、そしてもし移動局がアクティブでなければ、低電力ブルートゥース（商標）状態（例えば、パーク・モード）に入って、電力を保全する。周期的に、ＡＰは移動局にポーリングして、アクティブ電力モードに再び入ることを可能としている。この周期的なトラフィックは移動局に使用され得て、ＵＭＡ登録手続きを何時実行すべきかを決定すべく信号品質を測定する。
【００９１】
ＵＭＡ移動局専用モード振る舞い
音声呼出と係わるＵＭＡ装置、データ・トランザクション、或は、同時音声／データ・トランザクションは、ＧＳＭ適用範囲からＵＭＡ適用範囲、或は、ＵＭＡ適用範囲からＧＳＭ適用範囲への遷移と遭遇し得る。一実施例において、適用範囲がＧＳＭからＵＭＡ適用範囲まで遷移すると、呼出はＧＳＭ
ＲＡＮ及びＵＭＡＮの間で透明状態で移譲され得る。音声の場合、移譲は移譲機能によって達成され得る。データの場合、セッション管理制御は共通エンドユーザ経験をＧＰＲＳ内に設けられたそれに提供し得る。通常の登録行動は、適切であれば、アイドル状態に復帰すると生じ得る。適用範囲がＵＭＡからＧＳＭ適用範囲まで遷移すると、呼出はＵＭＡＮ及びＧＳＭ
ＲＡＮの間で透明状態で移譲され得る。音声の場合、移譲は移譲機能によって達成され得る。データの場合、セッション管理制御は共通エンドユーザ経験をＧＰＲＳに設けられたそれに提供し得る。
【００９２】
キー移動性管理概念の概要
図５は、一例示的実施例における移動性管理機能を図示している。図５において、無認可ネットワーク・コントローラＵＮＣ-１は、ＧＳＭ位置エリアのＬＡ-１１からＬＡ-２３までのものと関連されたＵＭＡセルに対する貢献ＵＮＣである。ＵＮＣ-１は、ＧＳＭ位置エリアＬＡ-１ｘをＵＭＡセルＵＭＡ ＣＧＩ-１０１にマッピングすると共に、ＧＳＭ位置エリアＬＡ-２ｘをＵＭＡ ＣＧＩ-１０２にマッピングする。無認可ネットワーク・コントローラＵＮＣ-３は、ＧＳＭ位置エリアのＬＡ-３１からＬＡ-３３までのものと関連されたＵＭＡセルに対する貢献ＵＮＣである。ＵＮＣ-３はＧＳＭ位置エリアＬＡ-３ｘをＵＭＡセルＵＭＡ ＣＧＩ-３０１にマッピングする。移動局ＭＳ-１はＵＭＡセルＵＭＡ-ＣＧＩ-１０１内である（ＧＳＭ
ＬＡ-１ｘはＵＭＡ-ＣＧＩ-１０１にマッピングされている故）。移動局ＭＳ-２はＵＭＡセルＵＭＡ-ＣＧＩ-１０２内である（ＧＳＭ
ＬＡ-２ｘはＵＭＡ-ＣＧＩ-１０２にマッピングされている故）。移動局ＭＳ-３はＵＭＡセルＵＭＡ-ＣＧＩ-３０１内である（ＧＳＭ
ＬＡ-３ｘはＵＭＡ-ＣＧＩ-３０１にマッピングされている故）。もし移動局ＭＳ-４がＵＮＣ-３と接続すれば、それはＵＭＡセルＵＭＡ-ＣＧＩ-１９９内である（ＧＳＭ適用範囲は全くない）。移動局ＭＳ-１及びＭＳ-２は方向転換無しにＵＮＣ-１と接続し得る。もし移動局ＭＳ-３がＵＮＣ-１と接続しようとすれば、それはＵＮＣ-３に方向転換され得る。
【００９３】
緊急事態や他の目的に対する位置サービス
図９は、ＭＳからの呼出或はＭＳへの呼出を処理すべくＵＮＣを選択するために使用され得る方法を示す。ブロック９１１で、ＵＮＣはＭＳから位置情報を受信する。この位置情報は、幾つかの異なる形態の内の任意のものを取り得る。一実施例において、位置情報はすぐ近くのセルラー基地局のＩＤを含む。図７の情報ＭＳ１０２の例に対して、位置情報は、３つの上方ＢＴＳ１２０のＢＳＩＤ（基地局ＩＤ）或はＢＳＣＣ（基地局カラー・コード）等のＩＤを含み得る。図７の例において、これらは基地局であり、ＭＳの範囲内である。位置情報は受信セルラー基地局ＩＤ各々と関連されたＲｘＬＥＶ（受信レベル）或はＲＳＳＩ（受信信号強度指標）をも含み得る。
【００９４】
ＧＳＭにおいて、「ＢＳＩＤ」はセル・グローバルＩＤ（ＣＧＩ）の形態を採り得る。これは、ＢＳＳとＢＳＳ内のセルとが位置或はルーチング・エリアＩＤにＣＩを付加することによってその位置或はルーチング・エリア内において識別される。このＣＩは２オクテットの固定長であり、完全１６進法表現を用いてコード化され得る。ＣＧＩはＬＡＩ及びＣＩの連鎖である。ＬＡＩは３要素、即ち、モバイル国コード、その国におけるＧＳＭ
ＰＬＭＮを識別するモバイル・ネットワーク・コード、並びに、ＧＳＭ ＰＬＭＮ内の位置エリアを識別する位置エリア・コードを有する。
【００９５】
代替的には、位置情報はすぐ近くの基地局とは関係しないが、その代わりに接続されたＡＰと関係し得る。ＭＳは基地局の範囲内ではなく、送信すべき有効な基地局情報を有し得ない。位置情報は、接続されたＡＰ、そのＡＰ、或は、そのＡＰの緯度及び経度座標のストリート・アドレスのＩＤの形態を採用し得る。これらは、例えば、ＤＨＣＰへのＧＥＯＰＲＩＶ延長を介して獲得され得る。
【００９６】
ブロック９１５で、ＵＮＣはこの比較に基づきネットワーク・コントローラを選択する。選択は、ＣＧＩをマッピング・テーブルに適用することによって或は様々な他の方法で為され得る。これらの方法は、先に述べたリストの内の１つから、或は、移動局に対する最良の基地局を選択することによって、適切なＡＰに対するアドレスを読み取ることを含み、選択された基地局と結合されたモバイル・スイッチング・センタを識別し、その識別されたモバイル・スイッチング・センタと結合されたスイッチング・ネットワーク・コントローラを選択する。もしその位置が無線ＡＰと関係していれば、ＡＰの位置が決定された後に、その選択は、接続された無線アクセスポイントの決定された位置近くの位置に貢献するモバイル・スイッチング・センタを識別し、その識別されたモバイル・スイッチング・センタと結合されたネットワーク・コントローラを選択することによって為され得る。その選択は特定の用途に対して適切であるような様々な他の方法で為され得る。
【００９７】
ブロック９１７で、ＵＮＣは選択されたネットワーク・コントローラに対するアドレスをＭＳに送信する。これはそのＭＳがアドレスを記録し、そのＵＮＣとの接続を設定することを可能としている。選択されたＵＮＣはその選択されたＵＮＣと同一であり得るか、或は、その選択を為すＵＮＣはＭＳを異なるＵＮＣに方向転換し得る。一実施例において、ＵＮＣは既存の呼出或は登録をそれが選択したＵＮＣに更に転送する。
【００９８】
図６は、一方ではＭＳ及びＡＰの間、そして他方では、第１ＵＮＣ及び第２ＵＮＣの間を通過し得る信号シーケンスの一例を示す。図６の例において、図７に示される２つの通信システムの局面はその線図の上部を横切るように示されている。異なる局面の間を通過する信号は水平矢印として示されて、矢じりは係わりある通信システムの局面と接続している。矢印が局面を横切るように通過し且つ矢じりが何等示されていない場合、この局面は通過だけとして行動する。矢印はその図の右手側下で文字で識別される。図６に係わる図１のシステム・アーキテクチャの特定の局面は、左から右へ、移動局（例えばＭＳ１０２）、アクセスポイント（例えばＷＬＡＮ
ＡＰ１２８）、第１ＵＮＣ（例えばＵＮＣ１４０）、並びに、第２ＵＮＣ（例えばＵＮＣ１４０）である。図６に示される信号はシグナル伝達と関係し、トラフィック或はペイロードの流れを指示しない。
【００９９】
図６は、ＵＮＣ（ＵＮＣ１４０）に登録して、登録中に別のＵＮＣ（ＵＮＣ２）に向けて方向転換されているＭＳの一例を示している。この登録は先に記載されたものを含む相互に異なる様々な形態を採用し得る。特に、図６の例において、ＭＳは第１ＵＮＣからサービスを要求して、位置情報を提供する。次いでそれは第２ＵＮＣに方向転換される。第２ＵＮＣはＭＳの報告済み位置に対してより適切であり得る。
【０１００】
図６の線Ａにおいて、ＭＳはＡＰの適用範囲内に入って、ＡＰとの無線リンクを設定する。これは無認可周波数を用いてＷＬＡＮ接続であり得る。線Ｂにおいて、ＭＳは接続を設定すべくＵＮＣを捜す。これは、ＵＮＣに対してＤＮＳ（ドメイン・ネーム・システム）審問を実行することによって為され得る。これは第１ＵＮＣ
ＩＰアドレスへの接続を始動する。ＭＳは第１ＵＮＣを選択するが、それが使用された最後のＵＮＣ ＩＰアドレスであるから、それがデフォルトＵＮＣであり得るから、それが初期登録に対してＭＳに対して割り当てられたホームＵＮＣであり得るから、或は、それがＡＰ及びＣＧＩによって割り出された接続済みＵＮＣから成るキャッシュから選択され得るからである。線Ｃにおいて、ＵＮＣ及びＭＳはＴＣＰ接続を設定する。ＭＳ及びＵＮＣ間のＩＰＳｅｃセキュリティ手続きが図に示されていないとうわけではない。
【０１０１】
線Ｄにおいて、ＭＳは登録メッセージをＵＮＣに送信する。この登録メッセージは数多くの相互に異なる形態を採用し得る。一実施例において、登録メッセージはＵＭＡ
ＵＲＲ-登録要求メッセージに対してモデル化され得る。通常の登録内容に加えて、そうしたメッセージは、その接続に対する理由、ＡＰに対するＩＤ番号及びアドレス、並びに、範囲内にある送信基地局についての情報を含み得る。
【０１０２】
ＧＳＭシステムにおいて、この情報はセル情報と名付けられて、ＣＧＩ及び（任意選択的には）Ｃ１値を含む。一実施例において、単一ＣＧＩのみがＭＳによって報告され、ＭＳがその通常ＧＳＭセル選択手続きを用いて選択したＧＳＭセルを表現している。この単一セルは「最良」ＧＳＭセルであるべきとしてＭＳによって選択された。典型的には、そうした値を発展すべく、ＭＳは特定の指示された周波数をスキャンして、放送チャネル（ＢＣＨ）送信を見出す。このＢＣＨは送信基地局を識別し、ランダム・アクセスや特定の基地局によって使用されるトラフィック・チャネルについての情報を含む。ＭＳは基地局身元を記録することができ、受信されると共にＢＣＨ信号の品質を測定することができる。ＧＳＭシステムにおいて、ＲＸＬＥＶ（受信信号レベル）は典型的には測定されるが、他の品質測定がその代わりに、或は、ＲＸＬＥＶに加えて使用され得て、Ｓ／Ｎ比、ビット誤差率、ＲＳＳＩ（受信信号強度指標）、並びに、信号伝播遅延を含む。
【０１０３】
線Ｅにおいて、ＵＮＣは位置についての受信情報を評価して、ＭＳに対して適切なＵＮＣを選択する。この選択はそのＭＳが同一ＡＰとの接続が維持されている限り、維持され得る。先に述べたように、その適切なＵＮＣを選択する相互に異なる様々な方法が存在する。一実施例において、ＵＮＣは基地局情報を最良基地局に対するＭＳＣと対応するＵＮＣにマッピングする。別の実施例において、ＵＮＣはＡＰのＩＤを位置にマッピングし、対応するＭＳＣにマッピングし、そして対応するＵＮＣにマッピングする。別の実施例において、ＵＮＣは基地局或はＡＰについての位置情報を何等有しないが、位置情報を含んだＡＰからの先行する登録を有して、その上でＵＮＣを選択する。
【０１０４】
図６の例において、上方ＭＳ１０２（図７に示される）は初期的には下方ＵＮＣ１４０と接続し得る。このＵＮＣは下方ＭＳＣ１１０と結合している。ＭＳからの位置情報は、上方ＭＳＣ１１０と結合されている上方ＢＴＳ１２０の内の１つ或はそれ以上を識別する。もしＭＳが上方ＡＰ１２８から上方ＢＴＳまで遍歴するのであれば、呼び出しは上方ＭＳＣを介して下方ＭＳＣによって管理され得る。ＭＳを上方ＵＮＣに方向転換することで、呼び出しは上方ＭＳＣによって管理され得る。これは上方ＢＴＳへのより平滑な遷移及び該上方ＢＴＳからのより平滑な遷移と成り得ると共に、呼出を処理すべく必要とされ得るネットワーク・リソース量に関する低減と成り得る。
【０１０５】
線Ｆにおいて、ＵＮＣは登録要求を承認し、その選択されたＵＮＣに対するアドレスをＭＳに送信する。そのアドレスはＦＱＤＮ（完全に記述されたドメイン・ネーム）の形態、或は、任意の他の形態であり得る。線Ｆの承認はＵＭＡ
ＵＲＲレジスタ方向転換と類似の形態、或は、他の様々な形態の何れかであり得る。
【０１０６】
線Ｇにおいて、ＭＳは選択されたＵＮＣに対するＤＮＳ審問を実行する。それは第１ＵＮＣへの接続を解放して、第２ＵＮＣ ＩＰアドレスへの接続を始動し得る。したがって、線Ｈにおいて、ＴＣＰ接続はＭＳ及び新ＵＮＣの間に設定されて、該ＵＮＣに向かってＭＳは方向転換させられる。線Ｈにおいて、接続はＭＳ及び第２ＵＮＣの間に設定される。ＩＰＳｅｃトンネルは再使用され得るか、或は、新しいものが設定され得る（不図示）。
【０１０７】
線Ｉにおいて、ＭＳは類似の登録要求メッセージを第２ＵＮＣに送信し得る。このメッセージは線Ｄのメッセージと類似し得る。ＵＲＲレジスタ要求タイプのメッセージにおいて、理由フィールドは通常接続の代わりに方向転換に対する値を運び得る。登録要求における情報は、新ＵＮＣに対して、それがＭＳに更に方向転換しなければならない情報を適用させる。それがＡＰの位置により近接しているので、そのＡＰ、すぐ近くの基地局、或は、ネットワーク・リソース割り当てについてのより多くの或はより良好な情報を有し得てから、ＭＳへ更に方向転換し得る。理由フィールドは、ＭＳに方向転換の数について知らせるべく使用され得る。それは、ＭＳが単一ＡＰで経験し得る全方向転換数を１つ、それ以上、或は、他の任意の数に限定すべく使用され得る。
【０１０８】
線Ｊにおいて、ＵＮＣとの接続はその通常進路に沿って続行する。これは、登録承認、呼出セットアップ及び分解、並びに、セキュリティ対策を含む様々な相互に異なる支援音声或はデータ・サービスを含み得る。
【０１０９】
図７は、図６と同一方式で文字によって識別された線上の上部及びシグナル伝達を横切る図７の同一局面を示している。図７、ＭＳは記録するが任意の位置情報を送信できない。ひとたびそれが位置情報を有したならば、それをＵＮＣに送信し、それがＵＮＣに記録されてから、より適切なＵＮＣに方向転換される。ＭＳは図７に示されるものと類似のプロセスを用いて、随時、その位置を更新し得る。図７のメッセージは図６、図８、或は、図９のものに追従し得る。
【０１１０】
線Ａにおいて、ＭＳは第１ＵＮＣ１４０との設定された登録を有して、ＡＰ１２８を通じて通信する。線Ｂにおいて、ＭＳは有効であるか或は更新された位置情報を獲得する。それは基地局ＢＣＨ送信を受信できないか、或は、ＡＰ或は双方に対する正確な情報を獲得できない。線Ｂにおける位置情報は新しいか、更新されたか、或は、より正確であるかの位置情報であり得る。
【０１１１】
線Ｃにおいて、ＭＳはその位置をＵＮＣに送信する。一実施例において、この情報はＵＲＲレジスタ更新アップリンク・メッセージの形態である。位置情報は先に述べた形態の内の任意のものか、或は、他の何等かの形態であり得る。
【０１１２】
線Ｄにおいて、そのＵＮＣは位置情報を適用して、ＭＳに対して最適なＵＮＣを決定する。これは、同一のもの、或は、ＭＳが既に記録されているものとは異なるＵＮＣであり得る。先に述べたアプローチの内の任意の１つ或はそれ以上はＵＮＣを選択すべく使用され得る。線Ｅにおいて、もし適切であればＭＳは方向転換され、その方向転換されたＵＮＣに記録する。これはＵＲＲレジスタ方向転換コマンドで為され得る。これらのトランザクションは図６の線ｇ-ｊと類似の形態を採用し得る。
【０１１３】
図８は、図６と同一方式で文字によって識別された線上の上部及びシグナル伝達を横切る図７の同一局面を示している。図８において、ＭＳは登録中に任意の位置情報を提供できない。線Ａにおいて、ＭＳ１０２はＡＰ１２８の適用範囲に入って、ＷＬＡＮチャネル等の無認可チャネルにわたる通信リンクを設定する。線Ｂにおいて、ＭＳはＡＰを通じてこの接続を使用して、ＵＮＣ１４０への接続を設定する。図６及び図７におけるように、これはデフォルトＵＮＣ、それが記録する最後のＵＮＣ、ＡＰによって提供されるＵＮＣ、或は、他の任意の方式で選択されたＵＮＣであり得る。線Ｃにおいて、ＭＳ及びＵＮＣはＴＣＰ接続を設定する。
【０１１４】
図６におけるように、ＴＣＰ接続が設定された後、線Ｄにおいて、ＭＳは位置情報を含むその登録メッセージを送信する。しかしながら図８の例において、ＭＳは任意の基地局送信を受信することができず、それでセル情報フィールドは空である。ＭＳはＡＰ、例えば、ＩＤ番号、ＭＡＣ（メディア・アクセス制御）アドレス、或はＢＤ（ブルートゥース（商標）装置）アドレスについての情報を送信できる。ＵＮＣはセル情報フィールドを使用し得て、ＧＳＭセルの解決へのＭＳの位置を決定する。しかしながらもしこの情報が有効でなければ、ＵＮＣは、マッピング或はルックアップ表若しくはデータベースにおいてＡＰを調べて、ＡＰの解決へのＭＳ位置を決定する。もしＡＰの位置が精密に知られれば、ＡＰの範囲はＧＳＭセルの範囲よりもより精密になる。典型的には、ＡＰは１０から１００メートル程度の範囲を有する一方、ＧＳＭセルはキロメートルの範囲を有する。しかしながら、様々な送信器及び受信器の範囲は特定の具現化例に依存する。
【０１１５】
もしＭＳが近辺の基地局についての情報を提供せず且つＡＰに対して有効な位置情報が何等存在しなければ、ＵＮＣはＭＳの位置を確実に決定することができない。これは基地局を選択するＵＮＣの能力に影響し得ると共に、緊急（Ｅ９１１）サービスを含む位置情報に依存するサービスにも影響し得る。線ＥにおいてＵＮＣは、位置サービス（ＬＣＳ）が有効ではない旨を指示する登録承認（ＵＲＲレジスタ承認）を復帰することによってＭＳにこれを指示する。
【０１１６】
線Ｆにおいて、接続手続きは図５の線ｇ-ｊと類似の方式で続行する。ネットワークのコンフィギュレーションに依存して、オペレータ或は接続サービス会社は任意の位置情報を有しない加入者にサービスを提供しない選択を為し得る。そうした場合、ＵＮＣは代わりに登録の試みを拒絶する。代替的には、ＵＮＣは位置情報を有しないサービス加入者へ向けて構成されているＵＮＣにＭＳを方向転換し得る。例えば、このＵＮＣは緊急サービスに対する任意の要求を否定するように構成され得るか、或は、位置情報の欠如に適応する方式で緊急サービスを提供するように構成され得る。
【０１１７】
図９は、図６と同一方式で文字によって識別された線上の上部及びシグナル伝達を横切る図７の同一局面を示している。図９において、ＭＳは位置情報無しでの登録後に位置情報を更新する。図９のメッセージは図６、図７、或は、図８のものに追従し得る。
【０１１８】
線Ａにおいて、ＭＳ１０２は設定された通常の接続でＡＰ１２８を通じてＵＮＣ１４０と結合される。線Ｂにおいて、ＭＳユーザは、位置サービスが有効ではない旨を了解して、ＡＰに対する位置情報を入力し、該ＡＰにＭＳを接続させる。これは、ストリート・アドレス、郵便又はＺＩＰコード、経度及び緯度、或は、他の任意の情報であり得る。ＭＳは線Ｃにおいてこの情報を取り込んで、それを登録更新メッセージ（ＵＲＲレジスタ更新アップリンク）にフォーマットする。ＵＮＣはこの情報を受信して、ＭＳに対するその記録を更新する。
【０１１９】
線Ｄにおいて、もしＵＮＣが登録更新メッセージから充分正確な位置を決定したならば、ＵＮＣはメッセージ（（ＵＲＲレジスタ更新ダウンリンク）を送信して、位置サービスが現在有効である旨を指示する。したがって、線Ｅにおいて、ＭＳはユーザ・インターフェース、例えばスクリーン・ディスプレイを通じて、ユーザに位置サービスが有効である旨を合図する。
【０１２０】
図７及び図９のメッセージもユーザが一方のＡＰから他方のＡＰに移動した際に使用され得る。これらメッセージは新ＡＰの位置情報を報告すべく使用され得る。これらメッセージは、新しく取得された基地局情報を報告するためにも使用され得る。基地局放送チャネルは物理的障害物或は多数経路妨害物によって阻止され得る。ＭＳはＢＣＨ送信に対して、時折、再スキャンし得て、もし異なる情報を受信すれば登録更新を送信する。ＵＮＣはこの情報を使用し得て、位置サービスのステータスを更新し、ＭＳが他のプロセスのために異なるＵＮＣへ方向転換されるべきかを評価する。ＵＮＣは新ＡＰの識別子及び位置情報をも使用し得て、サービスを否定すべきかを決定する。特定の位置或はＡＰはネットワークの外側或は加入者プランの外側であり得て、そうしたＡＰからサービスは否定されるべきである。
【０１２１】
特定設備、サービス、イベントから成るシーケンス、並びに、信号のタイプは例示目的のみで提供されている。図６、図７、図８、並びに、図９の例がＶｏＩＰ
ＷＬＡＮ ＡＰ及びＧＳＭセルラー・ネットワークの関連で表示されている。適切な変更は他のタイプのネットワーク及びプロトコルと応ずるべく為され得る。無線移動局及び無線アクセスポイントに加えて、本発明の実施例は、企業システム及びネットワーク、私用及び公共交換網及び他の有線網、インターネット或は他の任意の通信媒体を通じてＵＮＣ或は類意の装置と接続し得る無線及びハイブリッド・システムを含む、他のタイプの加入者設備に適用され得る。
【０１２２】
ＵＮＣに加えて本発明の実施例は、ＰＬＭＮ或はＰＳＴＮとインターフェースする他のネットワーク装置に適用され得る。ＧＳＭアーキテクチャに加えて本発明の実施例は、無線及び有線双方の遠隔通信ネットワークの他のタイプに適用され得て、それらは、ＣＤＭＡ、ＴＤＭＡ、ＰＣＳ（パーソナル通信サービス）、ＰＨＳ（パーソナル・ハンディホン・システム）、並びに、他の規格化されたプロトコルを含み得る。上述のプロトコル・アーキテクチャの図解は例としてのみ提供される。それらの層の多くはグループ分けされるか、分割されるか、或は、特定用途に適合すべく異なるように識別され得る。任意の特定層での通信に係わる構成要素は変更され得て、特定用途に適合する。
【０１２３】
図１０は、本発明の幾つかの実施例に従って使用され得るＭＳ１３１の例を示す。図１０の例は、デュアル・モード・セルラー電話、コードレス電話、ＰＤＡ、携帯コンピュータ、或はより大きなコンピュータ内の通信カードに類似している形態であり得る。ＭＳの機能は、ディスプレイ２１５、ユーザ入力装置２１７、マイク２１９、並びに、スピーカ２２１と結合されたコントローラ２１３によって管理される。これら構成要素はＭＳ内に組み込まれるように示されているが、例えばデュアル・モード携帯電話において為され得るように、それら構成要素の内の１つ或はそれ以上は外部であり得る。マイク及びスピーカは外部の有線或は無線のヘッドホン或は送受話器であり得て、入力装置は外部の指示装置或はキーボードであり得て、ディスプレイはスタンドアローン型モニタであり得る。外部構成要素は、ＷＬＡＮ或はブルートゥース（商標）無線接続でのように、装置と配線接続されるか無線で結着され得る。図示されたユーザ・インターフェース構成要素の内の任意の１つ或はそれ以上は、特定用途用に除去され得る。
【０１２４】
コントローラは１つ或はそれ以上の他のＩ／Ｏ（入出力）装置２２３と結合され得る。これらは、同期ポート、アクセサリ・ポート、有線ネットワーク・インターフェース、ドッキング・ポート、更なる外部装置を結着させるポート自己複製子、或は、基地局へのインターフェースであり得る。もしＭＳがより大きなコンピュータ・システムの一構成要素として用途に適合していれば、ディスプレイ、入力、マイク、或は、スピーカはバス・インターフェース２２３を支持して除去され得る。バス・インターフェースはＰＣカードバス、ＰＣＩ（周辺構成要素相互接続）バス、ＵＳＢ（ユニバーサル・シリアル・バス）、ＩＤＥ（集積デバイス・エレクトロニクス）、ＡＴＡ（アドバンスド・テクノロジー・アタッチメント）、或は、バスの他のタイプであり得る。バス・インターフェースはステータスＬＥＤ（発光素子）、並びに、スピーカ２２１等のディスプレイ２１５と結合され得る。
【０１２５】
コントローラ２１３は、ＲＡＭ（ランダムアクセスメモリ）、ＲＯＭ（リードオンリーメモリ）、フラッシュメモリ、ディスク・ドライブ、並びに、光ドライブ等の１つ或はそれ以上の記憶装置２２５と更に結合される。記憶装置は、オペレーティング指示、アプリケーション、企業及び公共ドメインと通信されるデータを記憶すべく使用され得る。コントローラはホストＤＳＰ（ディジタル信号プロセッサ）とも結合される。ホストＤＳＰはコントローラとラジオによって運ばれるデータを通信する。データは、音声、テキスト、グラフィック、アプリケーション等々を表現し得る。ホストＤＳＰ２２７はラジオに対するデータの流れを制御すると共に、ＲＦコントローラ２２９を通じてラジオ自体を制御する。ＲＦコントローラは、タイミング、周波数、並びに、ラジオの他の局面を制御する。
【０１２６】
図１０のＭＳは単一アンテナ２３３からの２つのラジオ経路を示す。より多くのラジオ経路が使用され得て、もし複数のラジオシステムが充分に類似していれば、異なるラジオ・インターフェースが単一経路によって運ばれることができる。アンテナは、適切なシステムから適切なラジオに信号を経路指定するＲＦコントローラによって制御されるデュプレクサ２３１と結合されている。デュプレクサは受動周波数マルチプレクサ及びデマルチプレクサであり得るか、或は、能動的装置であり得る。デュプレクサは、企業ドメイン１１１において通信できる企業ラジオ２３７と結合されると共に、公共ドメイン１１３において通信できる認可帯域ラジオ２４１と結合される。
【０１２７】
ＲＦコントローラによって制御されるラジオ２３７，２４１は、増幅器、周波数変換器、マルチプレクサ、デマルチプレクサ、イコライザー、アナログ・ディジタル変換器、エンコーダ、デコーダ、スプリッタ及びコンバイナ、スプレッダ、デスプレッダ、並びに、他の要素を含み得る。ラジオは、各々、音声及びデータ・コーディック２３５，２３９と結合されており、次いでそれら音声及びデータ・コーディックはホストＤＳＰと結合されている。アンテナから受信されたデータ或は音声はデュプレクサを通じて適切なラジオに伝播すると共に、コーディックを通じてホストＤＳＰそして表示、出力、再生、或は、記憶のためのコントローラに伝播する。送信されるべきデータ或は音声はＤＳＰを通じてコントローラから、デュプレクサ及びアンテナを通じて適切なコーディック及びラジオまでの反対経路を追従する。ラジオの特定タイプや送受信鎖は異なる用途に適合することができる。図１０に示されるものよりも多かれ少なかれの構成要素はＭＳ内で使用され得る。送受信鎖は図示の如くに組み合わせられ得るか或は分離され得る。
【０１２８】
図１１はネットワーク・コントローラ１４７の一例を示し、それは本発明の実施例に従ってデータ通信に使用され得て、移動局１３１を電話網１０４と継ぎ目無しに相互接続する。ネットワーク・コントローラはコントローラ３１３を有し、それがＲＡＭ、ＲＯＭ、フラッシュメモリ、並びに、ディスク・ドライブ等の１つ或はそれ以上の記憶装置３１５と結合されると共に、ユーザ・インターフェース装置或は遠隔統治及び管理インターフェース等の１つ或はそれ以上のＩ／Ｏ装置３１７と結合されている。記憶装置は装置によって通信されるべきデータと共に、コントローラ用のオペレーティング及びアプリケーション指示を含有し得る。
【０１２９】
加入者インターフェース３２１は１つ或はそれ以上のアクセスポイントと結合されるか、或は、専用プライベート回線、ＬＡＮ、ＷＡＮ（ワイド・エリア・ネットワーク）、インターネット、或は、他の様々な手段の内の任意のものを通じて加入者スイッチと結合されている。加入者インターフェースは１つ或はそれ以上の移動及び固定の加入者とのシグナル伝達及びトラフィックを処理する。同様にして、ネットワーク・インターフェース３２７は、シグナル伝達及びトラフィックのために、１つ或はそれ以上の公共通信システム１０４と結合されている。
【０１３０】
メディア変換器３１９は２つのシステム間でトラフィックを変換すべく含まれている。代替的には、これら変換は、もしあれば、各インターフェース内で実行され得る。シグナル伝達はコントローラ、インターフェース、或は、シグナル伝達変換器（不図示）によって変換され得る。
【０１３１】
理解して頂きたいことは、先に記載された例よりも少なくか或は多くか装備されたＵＮＣ、ＡＰ、移動局、私有ネットワーク、並びに、公共ネットワークは特定の具現化例に対して望ましい。付加的或は異なる構成要素、インターフェース、バス、並びに、能力等が使用され得て、付加的な装置がこれら構成要素の内の任意のものに追加され得る。図示された構成要素の内の幾つかはそうした装置から除去され得る。ＵＮＣ、ＡＰ、移動局、私有ネットワーク、並びに、公共ネットワークのコンフィギュレーションは、価格制限、性能要件、技術的改善、或は、他の状況等の数多くの要因に依存している様々な具現化例と共に変動し得る。認可周波数がシステムの一部にとって使用されたり、或は、無認可周波数がシステムの一部に使用されることが必ずしも必須ではない。さらに、システムの一部が私有であり、他の一部が公共であることが必ずしも必須ではない。
【０１３２】
様々な実施例の記載は、主に、ＧＳＭセルラー遠隔通信システムを通じてのＶｏＩＰ私有ネットワーク呼出を設定する点における位置情報を用いることに言及しているが、様々な実施例は私有通信システムの他のタイプや、公共遠隔通信ネットワークの他のタイプと一緒に使用され得る。様々な実施例は、回路交換或はパケット交換の何れであろうが、音声ネットワーク、データ・ネットワーク、並びに、組み合わせネットワークに適用され得る。
【０１３３】
理解して頂けるように、本発明の実施例は、様々なコンピュータ具現化動作を実行するためにコンピュータ・コードをその上に有するコンピュータ可読媒体を伴うコンピュータ記憶プロダクトに関する。媒体及びコンピュータ・コードは本発明の目的のために特別に設計され且つ構成されているものであり得るか、或は、それらは周知の種類のものであってコンピュータ・ソフトウェア技術の技能を有するものに利用可能であり得る。コンピュータ可読媒体の例は、限定されるわけではないが、ハード・ディスク、フロッピー（登録商標）・ディスク、並びに、磁気テープ等の磁気媒体と、ＣＤ−ＲＯＭ及びホログラフィック装置等の光媒体と、光ディスク等の磁気-光媒体と、特定用途向け集積回路（「ＡＳＩＣ」）プログラマブル論理装置（「ＰＬＤ」）、ＲＯＭ及びＲＡＭの装置等の、プログラム・コードを記憶して実行するように特別に構成されたハードウェア装置とを含む。コンピュータ・コードの例は、コンパイラによって作り出されるマシン・コードや、インタープリターを用いるコンピュータによって実行される高級コードを含むファイルを含む。例えば、本発明の実施例は、ジャバ（商標）、Ｃ＋＋、或は、他のオブジェクト指向プログラミング言語、並びに、開発ツールを用いて具現化され得る。本発明の別の実施例は、マシン実行ソフトウェア指示の代わりの、或は、それと組み合わせた、ハードウェアに組み込まれた回路において具現化され得る。
【０１３４】
先行する記載は、説明の目的で、本発明の徹底した理解を提供すべく特殊用語が使用されている。しかしながら当業者に明らかなことは、本発明を実施するために明確な詳細が必要とされないことである。よって、本発明の特定実施例の先行する記載は例証及び説明の目的で提供されている。それらは、排他的であったり、本発明を開示された精密な形態に限定することが意図されておらず、明らかに、数多くの変更及び変形が先に教示を考慮して可能である。各種実施例は本発明の原理やその実務的用途を最も良好に説明するために選択されて記載されおり、よってそれらは他の当業者が本発明や意図された特定使用に適合するような様々な変更を伴う様々な実施例を最も良好に利用できるようにしている。意図されていることは、特許請求の範囲やそれらの均等物は本発明の範囲を規定することである。
【０１３５】
【表１−１】
2007535846.tif 000003
【０１３６】
【表１−２】
2007535846.tif 000004
【０１３７】
【表１−３】
2007535846.tif 000005
【０１３８】
【表１−４】
2007535846.tif 000006
【０１３９】
【表１−５】
2007535846.tif 000007
【図面の簡単な説明】
【０１４０】
【図１Ａ】図１Ａは本発明の一実施例の屋内アクセス・ネットワーク（ＩＡＮ）移動サービス・ソリューションの全体図である。
【図１Ｂ−Ｃ】図１Ｂは一実施例の移動セットのプロトコル層を図示し、図１Ｃは一実施例のプロトコル変換の方法を図示している。
【図２Ａ−Ｂ】図２Ａはブルートゥース（商標）・シグナル伝達を介して無認可ラジオ・リンクを提供する移動局の一実施例に対するレベル１、レベル２、並びに、レベル３のＧＳＭ関係プロトコル・アーキテクチャの全体を図示し、図２ＢはＩＥＥＥ８０２．１１シグナル伝達を介して無認可ラジオ・リンクを提供する移動局の一実施例に対するレベル１、レベル２、並びに、レベル３のＧＳＭ関係プロトコル・アーキテクチャの全体を図示している。
【図３Ａ】図３Ａは一実施例のＵＭＡ特定シグナル伝達と共に、ＣＳドメイン・シグナル伝達を支持してのアップインターフェース・プロトコル・アーキテクチャの説明図である。
【図３Ｂ−Ｃ】図３Ｂは移動局によって利用されるブルートゥース（商標）下方層と物理的層通信を促進するアクセスポイントとを示し、図３Ｃは移動局によって利用されるブルートゥース（商標）下方層と物理的層通信を促進するアクセスポイントの説明図である。
【図３Ｄ】図３Ｄは一実施例のＧＳＭ音声送信を支持してのアップＣＳドメイン音声伝達プロトコル・アーキテクチャの説明図である。
【図３Ｅ】図３Ｅは一実施例のアップＧＰＲＳユーザ・プレイン・プロトコル・アーキテクチャの説明図である。
【図３Ｆ】図３Ｆは一実施例のＧＰＲＳシグナル伝達を支持してのアップ・プロトコル・アーキテクチャを図示している。
【図４】一実施例の幾つかの可能なＧＳＭ及びＵＭＡシナリオを図示している。
【図５】一実施例における例示的な移動性管理機能を図示している。
【図６】一実施例の登録中に、異なるネットワーク・コントローラに移動局を方向転換するように利用されるメッセージ及び動作を図示しているメッセージ及びデータのフロー線図である。
【図７】図７は、一実施例の登録後に、異なるネットワーク・コントローラに移動局を方向転換するように利用されるメッセージ及び動作を図示しているメッセージ及びデータのフロー線図である。
【図８】図８は、一実施例の登録中に、位置情報を提供するように利用されるメッセージ及び動作を図示しているメッセージ及びデータのフロー線図である。
【図９】登録後に、位置情報を更新するように利用されるメッセージ及び動作を図示しているメッセージ及びデータのフロー線図である。
【図１０】一実施例のユーザ・ターミナルのブロック線図である。
【図１１】実施例の通信ネットワーク・コントローラのブロック線図である。
【符号の説明】
【０１４１】
１００  無認可モバイル・アクセス（ＵＭＡ）・アーキテクチャ  １０４  遠隔通信ネットワーク  １０６  認可無線通信セッション  １０８  無認可無線通信セッション  １１０  モバイル・スイッチング・センタ（ＭＳＣ）  １１２  音声ネットワーク  １１４  貢献ＧＰＲＳ支援ノード  １１６  データ・ネットワーク  １２０  マルチプル・ベース・トランシーバ・ステーション（ＢＴＳ）１２０  １２２  認可ラジオ・リンク  １２４  基地局コントローラ（ＢＳＣ）  １２６  プライベート・トランク
【図１Ａ】
2007535846.tif 000008
【図１Ｂ−Ｃ】
2007535846.tif 000009
【図２Ａ−Ｂ】
2007535846.tif 000010
【図３Ａ】
2007535846.tif 000011
【図３Ｂ−Ｃ】
2007535846.tif 000012
【図３Ｄ】
2007535846.tif 000013
【図３Ｅ】
2007535846.tif 000014
【図３Ｆ】
2007535846.tif 000015
【図４】
2007535846.tif 000016
【図５】
2007535846.tif 000017
【図６】
2007535846.tif 000018
【図７】
2007535846.tif 000019
【図８】
2007535846.tif 000020
【図９】
2007535846.tif 000021
【図１０】
2007535846.tif 000022
【図１１】
2007535846.tif 000023
【国際調査報告】
2007535846.tif 000024
2007535846.tif 000025
2007535846.tif 000026